(57)【要約】  本願の実施例は指示方法、検出方法及び関連装置を提供する。本願では、ネットワーク装置はどの周波数領域範囲内にＳＳＢ伝送がないかをユーザー装置に示すことにより、ユーザー装置がＳＳＢなしの周波数領域範囲内において無駄なサーチを行うことを回避し、ユーザー装置の初期サーチ過程を加速し、更に初期サーチ過程における消費電力を低減する。
2021513804.tif 000002
【特許請求の範囲】
【請求項１】
指示方法であって、
ネットワーク装置は第１周波数領域範囲内に同期信号ブロック（ＳＳＢ）がないことを示すための指示をユーザー装置に送信することを含むことを特徴とする指示方法。
【請求項２】
前記ＳＳＢは残りの最小システム情報（ＲＭＳＩ）に関連付けられることを特徴とする請求項１に記載の方法。
【請求項３】
前記ネットワーク装置が、第１周波数領域範囲内にＳＳＢがないことを示すための指示をユーザー装置に送信することは、
前記ネットワーク装置は前記第１周波数領域範囲を示すための第１メッセージを前記ユーザー装置に送信することと、
前記ネットワーク装置は前記第１周波数領域範囲内に前記ＳＳＢがないことを示すための第２メッセージを前記ユーザー装置に送信することと、を含むことを特徴とする請求項１又は２に記載の方法。
【請求項４】
前記ネットワーク装置は物理放送チャネル（ＰＢＣＨ）における第１情報フィールドによって前記第１メッセージをベアリングし、前記第１情報フィールドはＳＳＢの周波数領域位置を示すための情報フィールドを再利用し、又は、前記第１情報フィールドはＲＭＳＩの制御情報リソースセット（ＣＯＲＥＳＥＴ）情報フィールドを再利用することを特徴とする請求項３に記載の方法。
【請求項５】
前記ネットワーク装置はＰＢＣＨの物理リソースブロック（ＰＲＢ）グリッドオフセット（ｇｒｉｄ  ｏｆｆｓｅｔ）情報フィールドのリザーブ値によって前記第２メッセージをベアリングすることを特徴とする請求項３又は４に記載の方法。
【請求項６】
前記第１メッセージの指示方式は、
１）前記第１メッセージが第１情報と第２情報を含み、前記第１情報は前記第１周波数領域範囲の開始点を示すことに用いられ、前記第２情報は前記第１周波数領域範囲の終止点を示すことに用いられ、前記第１情報の長さが前記第２情報の長さと同じであり、又は前記第１情報の長さが前記第２情報の長さと異なること、
２）前記第１メッセージは前記第１周波数領域範囲の開始点を示すことに用いられること、
３）前記第１メッセージは前記第１周波数領域範囲の終止点を示すことに用いられること、のうちの１つを含むことを特徴とする請求項３〜５のいずれか１項に記載の方法。
【請求項７】
前記第１メッセージに使用される指示方式は予め定義されたものであり、又は、前記第１メッセージに使用される指示方式は前記ネットワーク装置がＰＢＣＨのＰＲＢ  ｇｒｉｄ  ｏｆｆｓｅｔ情報フィールドのリザーブ値で示すものであることを特徴とする請求項６に記載の方法。
【請求項８】
前記第１情報が前記第１周波数領域範囲の開始点を示す指示ステップサイズ及び／又は前記第２情報が前記第１周波数領域範囲の終止点を示す指示ステップサイズは予め定義されたものであり、又は前記ネットワーク装置がＰＢＣＨのＰＲＢ  ｇｒｉｄ  ｏｆｆｓｅｔ情報フィールドのリザーブ値で示すものであることを特徴とする請求項６又は７に記載の方法。
【請求項９】
前記ネットワーク装置が、第１周波数領域範囲内にＳＳＢがないことを示すための指示をユーザー装置に送信することは、
前記ネットワーク装置は前記第１周波数領域範囲内に前記ＳＳＢがないことを示すための第３メッセージを前記ユーザー装置に送信することを含むことを特徴とする請求項１又は２に記載の方法。
【請求項１０】
前記ネットワーク装置はＰＢＣＨにおける第２情報フィールドによって前記第３メッセージをベアリングし、前記第２情報フィールドはＳＳＢの周波数領域位置を示すための情報フィールドを再利用し、又は、前記第２情報フィールドはＲＭＳＩのＣＯＲＥＳＥＴ情報フィールドを再利用することを特徴とする請求項９に記載の方法。
【請求項１１】
前記第３メッセージは複数の第１ビットを含み、各第１ビットは１つの第２周波数領域範囲に対応し、前記複数の第１ビットに対応する複数の第２周波数領域範囲はＰＢＣＨで示すことができる周波数バンドを構成し、第１ビットｘの値が第１設定値に等しい場合、前記第１ビットｘに対応する第２周波数領域範囲は前記第１周波数領域範囲であり、前記第１ビットｘは前記複数のビットのうちの１つであることを特徴とする請求項９又は１０に記載の方法。
【請求項１２】
前記複数の第２周波数領域範囲に比例関係があり、前記比例関係は予め定義されたものであることを特徴とする請求項１１に記載の方法。
【請求項１３】
前記第３メッセージは複数の第２ビットを含み、各第２ビットは１つの第３周波数領域範囲に対応し、前記複数の第２ビットに対応する複数の第３周波数領域範囲は第４周波数領域範囲を構成し、ＰＢＣＨで示すことができる周波数バンドは前記第４周波数領域範囲を含み、第２ビットｙの値が第２設定値に等しい場合、前記第２ビットｙに対応する第３周波数領域範囲は前記第１周波数領域範囲であり、前記第２ビットｙは前記複数のビットのうちの１つであることを特徴とする請求項９又は１０に記載の方法。
【請求項１４】
前記複数の第３周波数領域範囲の周波数領域幅は同じであり、又は前記複数の第３周波数領域範囲の周波数領域幅は部分的に異なり、又は、前記複数の第３周波数領域範囲の周波数領域幅は互いに異なることを特徴とする請求項１３に記載の方法。
【請求項１５】
前記複数の第３周波数領域範囲の周波数領域幅が同じである場合、前記第３周波数領域範囲の周波数領域幅は予め定義されたものであり、又は、前記第３周波数領域範囲の周波数領域幅は前記ネットワーク装置がＰＢＣＨのＰＲＢ  ｇｒｉｄ  ｏｆｆｓｅｔ情報フィールドのリザーブ値で示すものであることを特徴とする請求項１４に記載の方法。
【請求項１６】
前記第４周波数領域範囲とＰＢＣＨに含まれるＳＳＢとの位置関係は予め定義されたものであり、又は、前記第４周波数領域範囲とＰＢＣＨに含まれるＳＳＢとの位置関係は前記ネットワーク装置がＰＢＣＨのＰＲＢ  ｇｒｉｄ  ｏｆｆｓｅｔ情報フィールドのリザーブ値で示すものであることを特徴とする請求項１３〜１５のいずれか１項に記載の方法。
【請求項１７】
前記第４周波数領域範囲とＰＢＣＨに含まれるＳＳＢとの位置関係は前記ネットワーク装置がＰＢＣＨのＰＲＢ  ｇｒｉｄ  ｏｆｆｓｅｔ情報フィールドのリザーブ値で示すものであり、
１）前記複数の第３周波数領域範囲の周波数領域幅が同じである場合、前記ネットワーク装置はＰＢＣＨのＰＲＢ  ｇｒｉｄ  ｏｆｆｓｅｔ情報フィールドのリザーブ値で、前記第３周波数領域範囲の周波数領域幅及び前記ＰＢＣＨの位置するＳＳＢの前記第４周波数領域範囲での位置を示すこと、
２）前記複数の第３周波数領域範囲の周波数領域幅が部分的に異なり、又は、前記複数の第３周波数領域範囲の周波数領域幅が互いに異なる場合、前記ネットワーク装置はＰＢＣＨのＰＲＢ  ｇｒｉｄ  ｏｆｆｓｅｔ情報フィールドのリザーブ値で、第３周波数領域範囲ｉの周波数領域幅及び前記ＰＢＣＨの位置するＳＳＢの前記第４周波数領域範囲での位置を示し、前記第３周波数領域範囲ｉがいずれも前記複数の第３周波数領域範囲のうちの１つであること、
３）前記複数の第３周波数領域範囲の周波数領域幅が部分的に異なり、又は、前記複数の第３周波数領域範囲の周波数領域幅が互いに異なる場合、前記ネットワーク装置はＰＢＣＨのＰＲＢ  ｇｒｉｄ  ｏｆｆｓｅｔ情報フィールドのリザーブ値で、前記ＰＢＣＨの位置するＳＳＢの前記第４周波数領域範囲での位置を示すこと、のうちの１つを含むことを特徴とする請求項１６に記載の方法。
【請求項１８】
検出方法であって、
ユーザー装置がネットワーク装置からの、第１周波数領域範囲内に同期信号ブロック（ＳＳＢ）がないことを示すための指示を受信することと、
前記ユーザー装置が前記指示に基づいてＳＳＢを検出することと、を含むことを特徴とする検出方法。
【請求項１９】
前記ＳＳＢは残りの最小システム情報（ＲＭＳＩ）に関連付けられることを特徴とする請求項１７に記載の方法。
【請求項２０】
前記ユーザー装置がネットワーク装置からの、第１周波数領域範囲内にＳＳＢがないことを示すための指示を受信することは、
前記ユーザー装置は前記ネットワーク装置からの、前記第１周波数領域範囲を示すための第１メッセージを受信することと、
前記ユーザー装置は前記ネットワーク装置からの、前記第１周波数領域範囲内に前記ＳＳＢがないことを示すための第２メッセージを受信することと、を含むことを特徴とする請求項１８又は１９に記載の方法。
【請求項２１】
前記ネットワーク装置は物理放送チャネル（ＰＢＣＨ）における第１情報フィールドによって前記第１メッセージをベアリングし、前記第１情報フィールドはＳＳＢの周波数領域位置を示すための情報フィールドを再利用し、又は、前記第１情報フィールドはＲＭＳＩの制御情報リソースセット（ＣＯＲＥＳＥＴ）情報フィールドを再利用することを特徴とする請求項２０に記載の方法。
【請求項２２】
前記ネットワーク装置はＰＢＣＨの物理リソースブロック（ＰＲＢ）グリッドオフセット（ｇｒｉｄ  ｏｆｆｓｅｔ）情報フィールドのリザーブ値によって前記第２メッセージをベアリングすることを特徴とする請求項２０又は２１に記載の方法。
【請求項２３】
前記第１メッセージの指示方式は、
１）前記第１メッセージが第１情報と第２情報を含み、前記第１情報は前記第１周波数領域範囲の開始点を示すことに用いられ、前記第２情報は前記第１周波数領域範囲の終止点を示すことに用いられ、前記第１情報の長さが前記第２情報の長さと同じであり、又は前記第１情報の長さが前記第２情報の長さと異なること、
２）前記第１メッセージは前記第１周波数領域範囲の開始点を示すことに用いられること、
３）前記第１メッセージは前記第１周波数領域範囲の終止点を示すことに用いられること、のうちの１つを含むことを特徴とする請求項２０〜２２のいずれか１項に記載の方法。
【請求項２４】
前記第１メッセージに使用される指示方式は予め定義されたものであり、又は、前記第１メッセージに使用される指示方式は前記ネットワーク装置がＰＢＣＨのＰＲＢ  ｇｒｉｄ  ｏｆｆｓｅｔ情報フィールドのリザーブ値で示すものであることを特徴とする請求項２３に記載の方法。
【請求項２５】
前記第１情報が前記第１周波数領域範囲の開始点を示す指示ステップサイズ及び／又は前記第２情報が前記第１周波数領域範囲の終止点を示す指示ステップサイズは予め定義されたものであり、又は前記ネットワーク装置がＰＢＣＨのＰＲＢ  ｇｒｉｄ  ｏｆｆｓｅｔ情報フィールドのリザーブ値で示すものであることを特徴とする請求項２３又は２４に記載の方法。
【請求項２６】
前記ユーザー装置がネットワーク装置からの、第１周波数領域範囲内にＳＳＢがないことを示すための指示を受信することは、
前記ユーザー装置は前記ネットワーク装置からの、前記第１周波数領域範囲内に前記ＳＳＢがないことを示すための第３メッセージを受信することを含むことを特徴とする請求項１８又は１９に記載の方法。
【請求項２７】
前記ネットワーク装置はＰＢＣＨにおける第２情報フィールドによって前記第３メッセージをベアリングし、前記第２情報フィールドはＳＳＢの周波数領域位置を示すための情報フィールドを再利用し、又は、前記第２情報フィールドはＲＭＳＩのＣＯＲＥＳＥＴ情報フィールドを再利用することを特徴とする請求項２６に記載の方法。
【請求項２８】
前記第３メッセージは複数の第１ビットを含み、各第１ビットは１つの第２周波数領域範囲に対応し、前記複数の第１ビットに対応する複数の第２周波数領域範囲はＰＢＣＨで示すことができる周波数バンドを構成し、第１ビットｘの値が第１設定値に等しい場合、前記第１ビットｘに対応する第２周波数領域範囲は前記第１周波数領域範囲であり、前記第１ビットｘは前記複数のビットのうちの１つであることを特徴とする請求項２６又は２７に記載の方法。
【請求項２９】
前記複数の第２周波数領域範囲に比例関係があり、前記比例関係は予め定義されたものであることを特徴とする請求項２８に記載の方法。
【請求項３０】
前記第３メッセージは複数の第２ビットを含み、各第２ビットは１つの第３周波数領域範囲に対応し、前記複数の第２ビットに対応する複数の第３周波数領域範囲は第４周波数領域範囲を構成し、ＰＢＣＨで示すことができる周波数バンドは前記第４周波数領域範囲を含み、第２ビットｙの値が第２設定値に等しい場合、前記第２ビットｙに対応する第３周波数領域範囲は前記第１周波数領域範囲であり、前記第２ビットｙは前記複数のビットのうちの１つであることを特徴とする請求項２６又は２７に記載の方法。
【請求項３１】
前記複数の第３周波数領域範囲の周波数領域幅は同じであり、又は前記複数の第３周波数領域範囲の周波数領域幅は部分的に異なり、又は、前記複数の第３周波数領域範囲の周波数領域幅は互いに異なることを特徴とする請求項３０に記載の方法。
【請求項３２】
前記複数の第３周波数領域範囲の周波数領域幅が同じである場合、前記第３周波数領域範囲の周波数領域幅は予め定義されたものであり、又は、前記第３周波数領域範囲の周波数領域幅は前記ネットワーク装置がＰＢＣＨのＰＲＢ  ｇｒｉｄ  ｏｆｆｓｅｔ情報フィールドのリザーブ値で示すものであることを特徴とする請求項３１に記載の方法。
【請求項３３】
前記第４周波数領域範囲とＰＢＣＨに含まれるＳＳＢとの位置関係は予め定義されたものであり、又は、前記第４周波数領域範囲とＰＢＣＨに含まれるＳＳＢとの位置関係は前記ネットワーク装置がＰＢＣＨのＰＲＢ  ｇｒｉｄ  ｏｆｆｓｅｔ情報フィールドのリザーブ値で示すものであることを特徴とする請求項３０〜３２のいずれか１項に記載の方法。
【請求項３４】
前記第４周波数領域範囲とＰＢＣＨに含まれるＳＳＢとの位置関係は前記ネットワーク装置がＰＢＣＨのＰＲＢ  ｇｒｉｄ  ｏｆｆｓｅｔ情報フィールドのリザーブ値で示すものであり、
１）前記複数の第３周波数領域範囲の周波数領域幅が同じである場合、前記ネットワーク装置はＰＢＣＨのＰＲＢ  ｇｒｉｄ  ｏｆｆｓｅｔ情報フィールドのリザーブ値で、前記第３周波数領域範囲の周波数領域幅及び前記ＰＢＣＨの位置するＳＳＢの前記第４周波数領域範囲での位置を示すこと、
２）前記複数の第３周波数領域範囲の周波数領域幅が部分的に異なり、又は、前記複数の第３周波数領域範囲の周波数領域幅が互いに異なる場合、前記ネットワーク装置はＰＢＣＨのＰＲＢ  ｇｒｉｄ  ｏｆｆｓｅｔ情報フィールドのリザーブ値で、第３周波数領域範囲ｉの周波数領域幅及び前記ＰＢＣＨの位置するＳＳＢの前記第４周波数領域範囲での位置を示し、前記第３周波数領域範囲ｉがいずれも前記複数の第３周波数領域範囲のうちの１つであること、
３）前記複数の第３周波数領域範囲の周波数領域幅が部分的に異なり、又は、前記複数の第３周波数領域範囲の周波数領域幅が互いに異なる場合、前記ネットワーク装置はＰＢＣＨのＰＲＢ  ｇｒｉｄ  ｏｆｆｓｅｔ情報フィールドのリザーブ値で、前記ＰＢＣＨの位置するＳＳＢの前記第４周波数領域範囲での位置を示すこと、のうちの１つを含むことを特徴とする請求項３３に記載の方法。
【請求項３５】
指示方法であって、
ネットワーク装置は第１周波数領域位置において同期信号ブロック（ＳＳＢ）があることを示すための指示をユーザー装置に送信することを含むことを特徴とする指示方法。
【請求項３６】
前記ＳＳＢは残りの最小システム情報（ＲＭＳＩ）に関連付けられることを特徴とする請求項３５に記載の方法。
【請求項３７】
ネットワーク装置が、第１周波数領域位置においてＳＳＢがあることを示すための指示をユーザー装置に送信することは、
前記ネットワーク装置は前記第１周波数領域位置を示すための第１メッセージを前記ユーザー装置に送信することと、
前記ネットワーク装置は前記第１周波数領域位置において前記ＳＳＢがあることを示すための第２メッセージを前記ユーザー装置に送信することと、を含むことを特徴とする請求項３５又は３６に記載の方法。
【請求項３８】
前記ネットワーク装置は物理放送チャネル（ＰＢＣＨ）における第１情報フィールドによって前記第１メッセージをベアリングし、前記第１情報フィールドはＳＳＢの周波数領域位置を示すための情報フィールドを再利用し、又は、前記第１情報フィールドはＲＭＳＩの制御情報リソースセット（ＣＯＲＥＳＥＴ）情報フィールドを再利用することを特徴とする請求項３７に記載の方法。
【請求項３９】
前記ネットワーク装置はＰＢＣＨの物理リソースブロック（ＰＲＢ）グリッドオフセット（ｇｒｉｄ  ｏｆｆｓｅｔ）情報フィールドのリザーブ値によって前記第２メッセージをベアリングすることを特徴とする請求項３７又は３８に記載の方法。
【請求項４０】
検出方法であって、
ユーザー装置がネットワーク装置からの、第１周波数領域位置において同期信号ブロック（ＳＳＢ）があることを示すための指示を受信することと、
前記ユーザー装置が前記指示に基づいてＳＳＢを検出することと、を含むことを特徴とする検出方法。
【請求項４１】
前記ＳＳＢは残りの最小システム情報（ＲＭＳＩ）に関連付けられることを特徴とする請求項４０に記載の方法。
【請求項４２】
前記ユーザー装置がネットワーク装置からの、第１周波数領域位置において同期信号ブロック（ＳＳＢ）があることを示すための指示を受信することは、
前記ユーザー装置は前記ユーザー装置からの、前記第１周波数領域位置を示すための第１メッセージを受信することと、
前記ユーザー装置は前記ユーザー装置からの、前記第１周波数領域位置において前記ＳＳＢがあることを示すための第２メッセージを受信することと、を含むことを特徴とする請求項４０又は４１に記載の方法。
【請求項４３】
前記ネットワーク装置は物理放送チャネル（ＰＢＣＨ）における第１情報フィールドによって前記第１メッセージをベアリングし、前記第１情報フィールドはＳＳＢの周波数領域位置を示すための情報フィールドを再利用し、又は、前記第１情報フィールドはＲＭＳＩの制御情報リソースセット（ＣＯＲＥＳＥＴ）情報フィールドを再利用することを特徴とする請求項４２に記載の方法。
【請求項４４】
前記ネットワーク装置はＰＢＣＨの物理リソースブロック（ＰＲＢ）グリッドオフセット（ｇｒｉｄ  ｏｆｆｓｅｔ）情報フィールドのリザーブ値によって前記第２メッセージをベアリングすることを特徴とする請求項４２又は４３に記載の方法。
【請求項４５】
ネットワーク装置であって、処理ユニット及び通信ユニットを備え、
前記処理ユニットは、第１周波数領域範囲内に同期信号ブロック（ＳＳＢ）がないことを示すための指示を前記通信ユニットによってユーザー装置に送信することに用いられることを特徴とするネットワーク装置。
【請求項４６】
ユーザー装置であって、処理ユニット及び通信ユニットを備え、
前記処理ユニットは、ネットワーク装置からの、第１周波数領域範囲内に同期信号ブロック（ＳＳＢ）がないことを示すための指示を前記通信ユニットによって受信することに用いられ、
前記処理ユニットは更に、前記指示に基づいてＳＳＢを検出することに用いられることを特徴とするユーザー装置。
【請求項４７】
ネットワーク装置であって、処理ユニット及び通信ユニットを備え、
前記処理ユニットは、第１周波数領域位置において同期信号ブロック（ＳＳＢ）があることを示すための指示を前記通信ユニットによってユーザー装置に送信することに用いられることを特徴とするネットワーク装置。
【請求項４８】
ユーザー装置であって、処理ユニット及び通信ユニットを備え、
前記処理ユニットは、ネットワーク装置からの、第１周波数領域位置において同期信号ブロック（ＳＳＢ）があることを示すための指示を前記通信ユニットによって受信することに用いられ、
前記処理ユニットは更に、前記指示に基づいてＳＳＢを検出することに用いられることを特徴とするユーザー装置。
【請求項４９】
ネットワーク装置であって、１つ又は複数のプロセッサ、１つ又は複数のメモリ、１つ又は複数の送受信機及び１つ又は複数のプログラムを備え、前記１つ又は複数のプログラムは前記メモリに記憶され、且つ前記１つ又は複数のプロセッサにより実行されるように設定され、前記プログラムは請求項１〜１７のいずれか１項に記載の方法におけるステップを実行するための命令を含むことを特徴とするネットワーク装置。
【請求項５０】
ユーザー装置であって、１つ又は複数のプロセッサ、１つ又は複数のメモリ、１つ又は複数の送受信機及び１つ又は複数のプログラムを備え、前記１つ又は複数のプログラムは前記メモリに記憶され、且つ前記１つ又は複数のプロセッサにより実行されるように設定され、前記プログラムは請求項１８〜３４のいずれか１項に記載の方法におけるステップを実行するための命令を含むことを特徴とするユーザー装置。
【請求項５１】
ネットワーク装置であって、１つ又は複数のプロセッサ、１つ又は複数のメモリ、１つ又は複数の送受信機及び１つ又は複数のプログラムを備え、前記１つ又は複数のプログラムは前記メモリに記憶され、且つ前記１つ又は複数のプロセッサにより実行されるように設定され、前記プログラムは請求項３５〜３９のいずれか１項に記載の方法におけるステップを実行するための命令を含むことを特徴とするネットワーク装置。
【請求項５２】
ユーザー装置であって、１つ又は複数のプロセッサ、１つ又は複数のメモリ、１つ又は複数の送受信機及び１つ又は複数のプログラムを備え、前記１つ又は複数のプログラムは前記メモリに記憶され、且つ前記１つ又は複数のプロセッサにより実行されるように設定され、前記プログラムは請求項４０〜４４のいずれか１項に記載の方法におけるステップを実行するための命令を含むことを特徴とするユーザー装置。
【請求項５３】
コンピュータ可読記憶媒体であって、電子データ交換のためのコンピュータプログラムが記憶され、前記コンピュータプログラムによってコンピュータが請求項１〜１７のいずれか１項に記載の方法におけるステップの命令を実行することを特徴とするコンピュータ可読記憶媒体。
【請求項５４】
コンピュータ可読記憶媒体であって、電子データ交換のためのコンピュータプログラムが記憶され、前記コンピュータプログラムによってコンピュータが請求項１８〜３４のいずれか１項に記載の方法におけるステップの命令を実行することを特徴とするコンピュータ可読記憶媒体。
【請求項５５】
コンピュータ可読記憶媒体であって、電子データ交換のためのコンピュータプログラムが記憶され、前記コンピュータプログラムによってコンピュータが請求項３５〜３９のいずれか１項に記載の方法におけるステップの命令を実行することを特徴とするコンピュータ可読記憶媒体。
【請求項５６】
コンピュータ可読記憶媒体であって、電子データ交換のためのコンピュータプログラムが記憶され、前記コンピュータプログラムによってコンピュータが請求項４０〜４４のいずれか１項に記載の方法におけるステップの命令を実行することを特徴とするコンピュータ可読記憶媒体。
【発明の詳細な説明】
【技術分野】
【０００１】
本願は通信技術分野に関し、具体的に指示方法、検出方法及び関連装置に関する。
【背景技術】
【０００２】
初期アクセスするユーザー装置（ＵＥ、Ｕｓｅｒ  Ｅｑｕｉｐｍｅｎｔ）に対して、ユーザー装置はネットワーク装置からシステムメッセージを取得してネットワーク装置にアクセスする必要がある。該システムメッセージは残りの最小システム情報（ＲＭＳＩ、Ｒｅｍａｉｎｉｎｇ  ｍｉｎｉｍｕｍ  ｓｙｓｔｅｍ  ｉｎｆｏｒｍａｔｉｏｎ）を含む。ＲＭＳＩは同期信号ブロック（ＳＳＢ、Ｓｙｎｃｈｒｏｎｉｚａｔｉｏｎ  Ｓｉｇｎａｌ  Ｂｌｏｃｋ）の物理放送チャネル（ＰＢＣＨ、Ｐｈｙｓｉｃａｌ  Ｂｒｏａｄｃａｓｔ  Ｃｈａｎｎｅｌ）を介して間接的に取得されてもよい。
【０００３】
現在、初期サーチ過程（例えば、ＳＳＢのサーチ）において、長すぎる時間がかかり、ユーザー装置がネットワーク装置に初期アクセスするために必要な時間を延長させてしまう。
【発明の概要】
【発明が解決しようとする課題】
【０００４】
本願の実施例は初期サーチ過程に必要な時間を短縮して、更に初期サーチ過程に必要な消費電力を低減するための指示方法、検出方法及び関連装置を提供する。
【課題を解決するための手段】
【０００５】
第１態様では、本願の実施例は指示方法を提供し、該指示方法は、
ネットワーク装置が第１周波数領域範囲内にブロックＳＳＢがないことを示すための指示をユーザー装置に送信することを含む。
【０００６】
第２態様では、本願の実施例は検出方法を提供し、該検出方法は、
ユーザー装置がネットワーク装置からの、第１周波数領域範囲内にＳＳＢがないことを示すための指示を受信することと、
前記ユーザー装置が前記指示に基づいてＳＳＢを検出することと、を含む。
【０００７】
第３態様では、本願の実施例は指示方法を提供し、該指示方法は、
ネットワーク装置が第１周波数領域位置においてＳＳＢがあることを示すための指示をユーザー装置に送信することを含む。
【０００８】
第４態様では、本願の実施例は検出方法を提供し、該検出方法は、
ユーザー装置がネットワーク装置からの、第１周波数領域位置においてＳＳＢがあることを示すための指示を受信することと、
前記ユーザー装置が前記指示に基づいてＳＳＢを検出することと、を含む。
【０００９】
第５態様では、本願の実施例はネットワーク装置を提供し、該ネットワーク装置は処理ユニット及び通信ユニットを備え、
前記処理ユニットは、第１周波数領域範囲内にＳＳＢがないことを示すための指示を前記通信ユニットによってユーザー装置に送信することに用いられる。
【００１０】
第６態様では、本願の実施例はユーザー装置を提供し、該ユーザー装置は処理ユニット及び通信ユニットを備え、
前記処理ユニットは、ネットワーク装置からの、第１周波数領域範囲内にＳＳＢがないことを示すための指示を前記通信ユニットによって受信することに用いられ、
前記処理ユニットは更に、前記指示に基づいてＳＳＢを検出することに用いられる。
【００１１】
第７態様では、本願の実施例はネットワーク装置を提供し、該ネットワーク装置は処理ユニット及び通信ユニットを備え、
前記処理ユニットは、第１周波数領域位置においてＳＳＢがあることを示すための指示を前記通信ユニットによってユーザー装置に送信することに用いられる。
【００１２】
第８態様では、本願の実施例はユーザー装置を提供し、該ユーザー装置は処理ユニット及び通信ユニットを備え、
前記処理ユニットは、ネットワーク装置からの、第１周波数領域位置においてＳＳＢがあることを示すための指示を前記通信ユニットによって受信することに用いられ、
前記処理ユニットは更に、前記指示に基づいてＳＳＢを検出することに用いられる。
【００１３】
第９態様では、本願の実施例はネットワーク装置を提供し、該ネットワーク装置は１つ又は複数のプロセッサ、１つ又は複数のメモリ、１つ又は複数の送受信機及び１つ又は複数のプログラムを備え、前記１つ又は複数のプログラムは前記メモリに記憶され、且つ前記１つ又は複数のプロセッサにより実行されるように設定され、前記プログラムは第１態様に記載の方法におけるステップを実行するための命令を含む。
【００１４】
第１０態様では、本願の実施例はユーザー装置を提供し、該ユーザー装置は１つ又は複数のプロセッサ、１つ又は複数のメモリ、１つ又は複数の送受信機及び１つ又は複数のプログラムを備え、前記１つ又は複数のプログラムは前記メモリに記憶され、且つ前記１つ又は複数のプロセッサにより実行されるように設定され、前記プログラムは第２態様に記載の方法におけるステップを実行するための命令を含む。
【００１５】
第１１態様では、本願の実施例はネットワーク装置を提供し、該ネットワーク装置は１つ又は複数のプロセッサ、１つ又は複数のメモリ、１つ又は複数の送受信機及び１つ又は複数のプログラムを備え、前記１つ又は複数のプログラムは前記メモリに記憶され、且つ前記１つ又は複数のプロセッサにより実行されるように設定され、前記プログラムは第３態様に記載の方法におけるステップを実行するための命令を含む。
【００１６】
第１２態様では、本願の実施例はユーザー装置を提供し、該ユーザー装置は１つ又は複数のプロセッサ、１つ又は複数のメモリ、１つ又は複数の送受信機及び１つ又は複数のプログラムを備え、前記１つ又は複数のプログラムは前記メモリに記憶され、且つ前記１つ又は複数のプロセッサにより実行されるように設定され、前記プログラムは第４態様に記載の方法におけるステップを実行するための命令を含む。
【００１７】
第１３態様では、本願の実施例はコンピュータ可読記憶媒体を提供し、該コンピュータ可読記憶媒体に電子データ交換のためのコンピュータプログラムが記憶され、前記コンピュータプログラムによってコンピュータが第１態様に記載の方法に説明される一部又は全部のステップを実行する。
【００１８】
第１４態様では、本願の実施例はコンピュータ可読記憶媒体を提供し、該コンピュータ可読記憶媒体に電子データ交換のためのコンピュータプログラムが記憶され、前記コンピュータプログラムによってコンピュータが第２態様に記載の方法に説明される一部又は全部のステップを実行する。
【００１９】
第１５態様では、本願の実施例はコンピュータ可読記憶媒体を提供し、該コンピュータ可読記憶媒体に電子データ交換のためのコンピュータプログラムが記憶され、前記コンピュータプログラムによってコンピュータが第３態様に記載の方法に説明される一部又は全部のステップを実行する。
【００２０】
第１６態様では、本願の実施例はコンピュータ可読記憶媒体を提供し、該コンピュータ可読記憶媒体に電子データ交換のためのコンピュータプログラムが記憶され、前記コンピュータプログラムによってコンピュータが第３態様に記載の方法に説明される一部又は全部のステップを実行する。
【００２１】
第１７態様では、本願の実施例はコンピュータプログラム製品を提供し、前記コンピュータプログラム製品はコンピュータプログラムが記憶される非一時的コンピュータ可読記憶媒体を含み、前記コンピュータプログラムを操作することにより、コンピュータが第１態様に記載の方法に説明される一部又は全部のステップを実行する。該コンピュータプログラム製品が１つのソフトウェアインストールパッケージであってもよい。
【００２２】
第１８態様では、本願の実施例はコンピュータプログラム製品を提供し、前記コンピュータプログラム製品はコンピュータプログラムが記憶される非一時的コンピュータ可読記憶媒体を含み、前記コンピュータプログラムを操作することにより、コンピュータが第２態様に記載の方法に説明される一部又は全部のステップを実行する。該コンピュータプログラム製品が１つのソフトウェアインストールパッケージであってもよい。
【００２３】
第１９態様では、本願の実施例はコンピュータプログラム製品を提供し、前記コンピュータプログラム製品はコンピュータプログラムが記憶される非一時的コンピュータ可読記憶媒体を含み、前記コンピュータプログラムを操作することにより、コンピュータが第３態様に記載の方法に説明される一部又は全部のステップを実行する。該コンピュータプログラム製品が１つのソフトウェアインストールパッケージであってもよい。
【００２４】
第２０態様では、本願の実施例はコンピュータプログラム製品を提供し、前記コンピュータプログラム製品はコンピュータプログラムが記憶される非一時的コンピュータ可読記憶媒体を含み、前記コンピュータプログラムを操作することにより、コンピュータが第４態様に記載の方法に説明される一部又は全部のステップを実行する。該コンピュータプログラム製品が１つのソフトウェアインストールパッケージであってもよい。
【発明の効果】
【００２５】
以上によれば、本願では、ユーザー装置の初期サーチ過程を加速し、更に初期サーチ過程における消費電力を低減する。
【００２６】
本願のこれらの態様又は他の態様は以下の実施例の説明から明らかになる。
【図面の簡単な説明】
【００２７】
本願の実施例又は背景技術の技術案をより明確に説明するために、以下に本願の実施例又は背景技術に使用すべき図面を説明する。
【００２８】
【図１Ａ】図１Ａは本願の実施例に係る無線通信システムアーキテクチャの模式図である。
【図１Ｂ】図１Ｂは本願の実施例に係る周波数領域リソース割り当ての模式図である。
【図２】図２は本願の実施例に係るユーザー装置の構造模式図である。
【図３】図３は本願の実施例に係るネットワーク装置の構造模式図である。
【図４Ａ】図４Ａは本願の実施例に係る同期信号ブロック検出方法の模式的なフローチャートである。
【図４Ｂ】図４Ｂは本願の実施例に係る第３メッセージの指示模式図である。
【図４Ｃ】図４Ｃは本願の実施例に係る他の第３メッセージの指示模式図である。
【図４Ｄ】図４Ｄは本願の実施例に係る周波数領域幅の模式図である。
【図４Ｅ】図４Ｅは本願の実施例に係る他の周波数領域幅の模式図である。
【図５】図５は本願の実施例に係る他の同期信号ブロック検出方法の模式的なフローチャートである。
【図６】図６は本願の実施例に係るコンピュータ装置の構造模式図である。
【図７】図７は本願の実施例に係る他のコンピュータ装置の構造模式図である。
【図８】図８は本願の実施例に係る他のコンピュータ装置の構造模式図である。
【図９】図９は本願の実施例に係る他のコンピュータ装置の構造模式図である。
【発明を実施するための形態】
【００２９】
本願の実施形態において使用される用語は本願の具体的な実施例を解釈するためのものであって、本願を制限するためのものではない。
【００３０】
本願の明細書、特許請求の範囲及び前記図面における用語の「第１」「第２」「第３」及び「第４」等は異なるオブジェクトを区分するためのものであって、特定の順序を説明するためのものではない。なお、用語の「含む」、「有する」及びそれらの任意の変形は非排他的包含を含むように意図される。
【００３１】
図１Ａには本願に関わる無線通信システムを示す。前記無線通信システムはロングタームエボリューション（ＬＴＥ、Ｌｏｎｇ  Ｔｅｒｍ  Ｅｖｏｌｕｔｉｏｎ）システムに限らず、将来発展する第５世代移動通信（５Ｇ、ｔｈｅ  ５ｔｈ  Ｇｅｎｅｒａｔｉｏｎ）システム、ＮＲシステム、マシン対マシン通信（Ｍ２Ｍ、Ｍａｃｈｉｎｅ  ｔｏ  Ｍａｃｈｉｎｅ）システム等であってもよい。図１Ａに示すように、無線通信システム１００は１つ又は複数のネットワーク装置１０１及び１つ又は複数のユーザー装置１０２を備えてもよい。
【００３２】
ネットワーク装置１０１は基地局であってもよく、基地局は１つ又は複数のユーザー装置と通信することに用いられてもよく、一部のユーザー装置機能を有する１つ又は複数の基地局（例えばマクロ基地局及びマイクロ基地局、例えばアクセスポイント同士の通信）と通信することに用いられてもよい。基地局は時分割同期符号分割多元接続（ＴＤ−ＳＣＤＭＡ、Ｔｉｍｅ  Ｄｉｖｉｓｉｏｎ  Ｓｙｎｃｈｒｏｎｏｕｓ  Ｃｏｄｅ  Ｄｉｖｉｓｉｏｎ  Ｍｕｌｔｉｐｌｅ  Ａｃｃｅｓｓ）システムにおけるベーストランシーバ基地局（ＢＴＳ、Ｂａｓｅ  Ｔｒａｎｓｃｅｉｖｅｒ  Ｓｔａｔｉｏｎ）であってもよく、ＬＴＥシステムにおける発展型基地局（ｅＮＢ、Ｅｖｏｌｕｔｉｏｎａｌ  Ｎｏｄｅ  Ｂ）及び５Ｇシステム、新無線インターフェース（ＮＲ）システムにおける基地局であってもよい。また、基地局は更にアクセスポイント（ＡＰ、Ａｃｃｅｓｓ  Ｐｏｉｎｔ）、伝送ノード（Ｔｒａｎｓ  ＴＲＰ）、中央装置（ＣＵ、Ｃｅｎｔｒａｌ  Ｕｎｉｔ）又は他のネットワークエンティティであってもよく、且つ以上のネットワークエンティティ機能のうちの一部又は全部の機能を含んでもよい。
【００３３】
ユーザー装置１０２は無線通信システム１００全体に分布されてもよく、固定であってもよく、可動であってもよい。本願のいくつかの実施例では、端末１０２はモバイルデバイス、移動局（ｍｏｂｉｌｅ  ｓｔａｔｉｏｎ）、モバイルユニット（ｍｏｂｉｌｅ  ｕｎｉｔ）、Ｍ２Ｍ端末、無線ユニット、リモートユニット、ユーザーエージェント、モバイルクライアント等であってもよい。
【００３４】
具体的に、ネットワーク装置１０１はネットワーク装置コントローラ（図示せず）の制御下で、無線インターフェース１０３を介してユーザー装置１０２と通信することに用いられてもよい。いくつかの実施例では、前記ネットワーク装置コントローラはコアネットワークの一部であってもよく、ネットワーク装置１０１に統合されてもよい。ネットワーク装置１０１とネットワーク装置１０１はバックホール（ｂｌａｃｋｈａｕｌ）インターフェース１０４（例えば、Ｘ２インターフェース）を介して直接又は間接的に通信してもよい。
【００３５】
周波数領域リソースを各通信事業者に割り当て、１つのｂａｎｄ（周波数バンド）における異なる周波数領域リソースを異なる通信事業者に割り当てる可能性がある。図１Ｂに示すように、キャリアＡとキャリアＣを通信事業者Ａに割り当て、キャリアＢを通信事業者Ｂに割り当てる。ユーザー装置がキャリアＡにおいてＳＳＢ１を見つかったが、ＳＳＢ１がＲＭＳＩに関連付けられていない場合、通信事業者Ａのネットワーク装置は該ＳＳＢ１におけるＰＢＣＨを介して、セルの定義したＳＳＢ（ｃｅｌｌ  ｄｅｆｉｎｉｎｇ  ＳＳＢ）の周波数領域位置を示す。キャリアＡにおけるＳＳＢがキャリアＡからキャリアＣまでのｃｅｌｌ  ｄｅｆｉｎｉｎｇ  ＳＳＢの周波数領域位置を示すと仮定し、キャリアＢが通信事業者Ｂの使用するキャリアであるため、それに含まれるｃｅｌｌ  ｄｅｆｉｎｉｎｇ  ＳＳＢの周波数領域位置が通信事業者Ａのネットワーク装置に示されないことになり、そうするとキャリアＢの位置する周波数領域リソースにはユーザー装置のサーチすべきＲＭＳＩに関連付けられるＳＳＢがない。ユーザー装置がキャリアＢの位置するリソースをサーチすると、ユーザー装置がＳＳＢ伝送なしの周波数領域範囲内において無駄なサーチを行うことになり、ユーザー装置の初期サーチ過程に必要な時間を延長させ、更にユーザー装置がネットワーク装置に初期アクセスするために必要な時間を延長させてしまう。
【００３６】
本願の一実施例では、ネットワーク装置はどの周波数領域範囲内にＳＳＢ伝送がないかをユーザー装置に示すことにより、ユーザー装置がＳＳＢなしの周波数領域範囲内において無駄なサーチを行うことを回避し、ユーザー装置の初期サーチ過程を加速し、更に初期サーチ過程における消費電力を低減する。
【００３７】
本願の他の実施例では、ネットワーク装置はどの周波数領域位置においてＳＳＢ伝送があるかをユーザー装置に示すことにより、ユーザー装置がＳＳＢなしの周波数領域位置で無駄なサーチを行うことを回避し、ユーザー装置の初期サーチ過程を加速し、更に初期サーチ過程における消費電力を低減する。
【００３８】
なお、図１に示される無線通信システム１００は本願の技術案をより明確に説明するためのものであって、本願を制限するためのものではなく、当業者であれば理解できるように、ネットワークアーキテクチャの発展及び新しいサービスシーンの出現に伴って、類似の技術的課題に対して、本願に係る技術案は同様に適用される。
【００３９】
図２に示すように、図２には本願のいくつかの実施例に係るユーザー装置２００を示す。図２に示すように、ユーザー装置２００は１つ又は複数のユーザー装置プロセッサ２０１、メモリ２０２、通信インターフェース２０３、受信機２０５、送信機２０６、結合器２０７、アンテナ２０８、ユーザーインターフェース２０２及び入力出力モジュール（オーディオ入力出力モジュール２１０、キー入力モジュール２１１及びディスプレイ２１２等を含む）を備えてもよい。これらの部材はバス２０４又は他の方式で接続されてもよく、図２はバスによる接続を例とする。
【００４０】
通信インターフェース２０３はユーザー装置２００が他の通信装置、例えばネットワーク装置と通信することに用いられてもよい。具体的に、前記ネットワーク装置は図３に示されるネットワーク装置３００であってもよい。具体的に、通信インターフェース２０３はロングタームエボリューション（ＬＴＥ）（４Ｇ）通信インターフェースであってもよく、５Ｇ又は将来の新無線インターフェースの通信インターフェースであってもよい。無線通信インターフェースに限らず、ユーザー装置２００に更に有線通信インターフェース２０３、例えばローカルアクセスネットワーク（ＬＡＮ、Ｌｏｃａｌ  Ａｃｃｅｓｓ  Ｎｅｔｗｏｒｋ）インターフェースが配置されてもよい。
【００４１】
送信機２０６はユーザー装置プロセッサ２０１の出力した信号に対して送信処理、例えば信号変調を行うことに用いられてもよい。受信機２０５はアンテナ２０８の受信した移動通信信号に対して受信処理、例えば信号復調を行うことに用いられてもよい。本願のいくつかの実施例では、送信機２０６と受信機２０５は１つの無線モデムと見なされてもよい。ユーザー装置２００において、送信機２０６及び受信機２０５の数はいずれも１つ又は複数であってもよい。アンテナ２０８は伝送線路における電磁エネルギーを自由空間における電磁波に変換し、又は自由空間における電磁波を伝送線路における電磁エネルギーに変換することに用いられてもよい。結合器２０７はアンテナ３０８の受信した移動通信信号を複数分岐して、複数の受信機２０５に割り当てることに用いられる。
【００４２】
図２に示される送信機２０６及び受信機２０５を除き、ユーザー装置２００は更に他の通信部材、例えばＧＰＳモジュール、ブルートゥース（Ｂｌｕｅｔｏｏｔｈ）モジュール、ワイヤレスフィデリティ（Ｗｉ−Ｆｉ、Ｗｉｒｅｌｅｓｓ  Ｆｉｄｅｌｉｔｙ）モジュール等を備えてもよい。上記説明される無線通信信号に限らず、ユーザー装置２００は更に他の無線通信信号、例えば衛星信号、短波信号等をサポートすることができる。無線通信に限らず、ユーザー装置２００に更に有線ネットワークインターフェース（例えば、ＬＡＮインターフェース）が配置されて、有線通信をサポートしてもよい。
【００４３】
前記入力出力モジュールはユーザー装置２００とユーザー／外部環境とのインタラクションを実現することに用いられてもよく、主にオーディオ入力出力モジュール２１０、キー入力モジュール２１１及びディスプレイ２１２等を備えてもよい。具体的に、前記入力出力モジュールは更にカメラ、タッチパネル及びセンサ等を備えてもよい。前記入力出力モジュールはいずれもユーザーインターフェース２０９を介してユーザー装置プロセッサ２０１と通信する。
【００４４】
メモリ２０２は端末プロセッサ２０１に結合され、様々なソフトウェアプログラム及び／又は複数組の命令を記憶することに用いられる。具体的に、メモリ２０２は高速ランダムアクセスメモリを含んでもよく、且つ更に不揮発性メモリ、例えば１つ又は複数の磁気ディスク記憶装置、フラッシュメモリデバイス又は他の不揮発性固体メモリデバイスを含んでもよい。メモリ２０２はオペレーティングシステム（以下、システムと略称される）、例えばＡＮＤＲＯＩＤ、ＩＯＳ、ＷＩＮＤＯＷＳ、又はＬＩＮＵＸ等の組み込みオペレーティングシステムを記憶することができる。メモリ２０２は更にネットワーク通信プログラムを記憶することができ、該ネットワーク通信プログラムは１つ又は複数の付加装置、１つ又は複数のユーザー装置、１つ又は複数のネットワーク装置と通信することに用いられてもよい。メモリ２０２は更にユーザーインターフェースプログラムを記憶することができ、該ユーザーインターフェースプログラムは図形化された操作インターフェースによってアプリケーションプログラムの内容を生き生きとして表示して、メニュー、ダイアログボックス及びキー等の入力ウィジェットによってユーザーのアプリケーションプログラムに対する制御操作を受信することができる。
【００４５】
本願のいくつかの実施例では、メモリ２０２は本願の１つ又は複数の実施例に係る同期信号ブロック検出方法のユーザー装置２００側での実現プログラムを記憶することに用いられてもよい。本願の１つ又は複数の実施例に係る同期信号ブロック検出方法の実現については、下記方法実施例を参照してもよい。
【００４６】
本願のいくつかの実施例では、ユーザー装置プロセッサ２０１はコンピュータ可読命令を読み取って実行することに用いられてもよい。具体的に、ユーザー装置プロセッサ２０１はメモリ２１２に記憶されるプログラム、例えば本願の１つ又は複数の実施例に係る同期信号ブロック検出方法のユーザー装置２００側での実現プログラムを呼び出して、該プログラムに含まれる命令を実行することに用いられてもよい。
【００４７】
なお、図２に示されるユーザー装置２００は本願の実施例の実現方式に過ぎず、実際の応用では、ユーザー装置２００はより多く又はより少ない部材を備えてもよく、ここで制限しない。
【００４８】
図３に示すように、図３には本願のいくつかの実施例に係るネットワーク装置３００を示す。図３に示すように、ネットワーク装置３００は１つ又は複数のネットワーク装置プロセッサ３０１、メモリ３０２、通信インターフェース３０３、送信機３０５、受信機３０６、結合器３０７及びアンテナ３０８を備えてもよい。これらの部材はバス３０４又は他の方式で接続されてもよく、図４はバスによる接続を例とする。
【００４９】
通信インターフェース３０３はネットワーク装置３００が他の通信装置、例えばユーザー装置又は他のネットワーク装置と通信することに用いられてもよい。具体的に、前記ユーザー装置は図２に示されるユーザー装置２００であってもよい。具体的に、通信インターフェース３０３はロングタームエボリューション（ＬＴＥ）（４Ｇ）通信インターフェースであってもよく、５Ｇ又は将来の新無線インターフェースの通信インターフェースであってもよい。無線通信インターフェースに限らず、ネットワーク装置３００に更に有線通信インターフェース３０３が配置されて、有線通信をサポートしてもよく、例えば１つのネットワーク装置３００と他のネットワーク装置３００とのバックホールリンクは有線通信接続であってもよい。
【００５０】
送信機３０５はネットワーク装置プロセッサ３０１の出力した信号に対して送信処理、例えば信号変調を行うことに用いられてもよい。受信機３０６はアンテナ３０８の受信した移動通信信号に対して受信処理、例えば信号復調を行うことに用いられてもよい。本願のいくつかの実施例では、送信機３０５と受信機３０６は１つの無線モデムと見なされてもよい。ネットワーク装置３００において、送信機３０５及び受信機３０６の数はいずれも１つ又は複数であってもよい。アンテナ３０８は伝送線路における電磁エネルギーを自由空間における電磁波に変換し、又は自由空間における電磁波を伝送線路における電磁エネルギーに変換することに用いられてもよい。結合器３０７は移動通信号を複数分岐して、複数の受信機３０６に割り当てることに用いられてもよい。
【００５１】
メモリ３０２はネットワーク装置プロセッサ３０１に結合され、様々なソフトウェアプログラム及び／又は複数組の命令を記憶することに用いられる。具体的に、メモリ３０２は高速ランダムアクセスメモリを含んでもよく、且つ更に不揮発性メモリ、例えば１つ又は複数の磁気ディスク記憶装置、フラッシュメモリデバイス又は他の不揮発性固体メモリデバイスを含んでもよい。メモリ３０２はオペレーティングシステム（以下、システムと略称される）、例えばｕＣＯＳ、ＶｘＷｏｒｋｓ、ＲＴＬｉｎｕｘ等の組み込みオペレーティングシステムを記憶することができる。メモリ４０２は更にネットワーク通信プログラムを記憶することができ、該ネットワーク通信プログラムは１つ又は複数の付加装置、１つ又は複数の端末装置、１つ又は複数のネットワーク装置と通信することに用いられてもよい。
【００５２】
ネットワーク装置プロセッサ３０１は無線チャネル管理、コール及び通信リンクの確立及び解除を行って、該制御領域内のユーザーにセル切替制御等を提供することに用いられてもよい。具体的に、ネットワーク装置プロセッサ３０１は管理／通信モジュール（ＡＭ／ＣＭ、Ａｄｍｉｎｉｓｔｒａｔｉｏｎ  Ｍｏｄｕｌｅ／Ｃｏｍｍｕｎｉｃａｔｉｏｎ  Ｍｏｄｕｌｅ）（通話路交換及び情報交換のためのセンター）、基本モジュール（ＢＭ、Ｂａｓｉｃ  Ｍｏｄｕｌｅ）（コール処理、シグナリング処理、無線リソース管理、無線リンクの管理及び回路維持機能を遂行することに用いられる）、コード変換及びサブ多重化ユニット（ＴＣＳＭ、Ｔｒａｎｓｃｏｄｅｒ  ａｎｄ  ＳｕｂＭｕｌｔｉｐｌｅｘｅｒ）（多重化・逆多重化及びコード変換機能を遂行することに用いられる）等を備えてもよい。
【００５３】
本願の実施例では、メモリ３０２は本願の１つ又は複数の実施例に係る同期信号ブロック検出方法のネットワーク装置３００側での実現プログラムを記憶することに用いられてもよい。本願の１つ又は複数の実施例に係る同期信号ブロック検出方法の実現については、下記方法実施例を参照してもよい。
【００５４】
本願の実施例では、ネットワーク装置プロセッサ３０１はコンピュータ可読命令を読み取って実行することに用いられてもよい。具体的に、ネットワーク装置プロセッサ３０１はメモリ３０２に記憶されるプログラム、例えば本願の１つ又は複数の実施例に係る同期信号ブロック検出方法のネットワーク装置３００側での実現プログラムを呼び出して、該プログラムに含まれる命令を実行することに用いられてもよい。
【００５５】
なお、図３に示されるネットワーク装置３００は本願の実施例の実現方式に過ぎず、実際の応用では、ネットワーク装置３００はより多く又はより少ない部材を備えてもよく、ここで制限しない。
【００５６】
上記無線通信システム１００、ユーザー装置２００及びネットワーク装置３００にそれぞれ対応する実施例に基づいて、本願の実施例は同期信号ブロック検出方法を提供する。
【００５７】
図４Ａに示すように、図４Ａは本願の実施例に係る同期信号ブロック検出方法の模式的なフローチャートであり、
ネットワーク装置は第１周波数領域範囲内にＳＳＢがないことを示すための指示をユーザー装置に送信するステップ４０１と、
前記ユーザー装置は前記ネットワーク装置からの、第１周波数領域範囲内にＳＳＢがないことを示すための前記指示を受信し、前記ユーザー装置が前記指示に基づいてＳＳＢを検出するステップ４０２と、を含む。
【００５８】
更に、前記ＳＳＢはＲＭＳＩに関連付けられる。
【００５９】
ＲＭＳＩは物理ダウンリンク共有チャネル（ＰＤＳＣＨ、Ｐｈｙｓｉｃａｌ  Ｄｏｗｎｌｉｎｋ  Ｓｈａｒｅｄ  Ｃｈａｎｎｅｌ）にベアリングされており、ＰＤＳＣＨのダウンリンク制御情報（ＤＣＩ、Ｄｏｗｎｌｉｎｋ  Ｃｏｎｔｒｏｌ  Ｉｎｆｏｒｎａｔｉｏｎ）は物理ダウンリンク制御チャネル（ＰＤＣＣＨ、Ｐｈｙｓｉｃａｌ  Ｄｏｗｎｌｉｎｋ  Ｃｏｎｔｒｏｌ  ＣＨａｎｎｅｌ）にベアリングされており、ＰＤＣＣＨの位置する時間周波数リソース位置をＰＢＣＨで示し、ＰＢＣＨは更にその位置するＳＳＢがＲＭＳＩに関連付けられるかどうかを示す。従って、ＲＭＳＩに関連付けられるＳＳＢによってＲＭＳＩを取得することができる。
【００６０】
具体的に、周波数領域リソースを各通信事業者に割り当て、１つのｂａｎｄにおける異なる周波数領域リソースを異なる通信事業者に割り当てる可能性がある。図１Ｂに示すように、キャリアＡとキャリアＣを通信事業者Ａに割り当て、キャリアＢを通信事業者Ｂに割り当てる。ユーザー装置がキャリアＡにおいてＳＳＢ１を見つかったが、ＳＳＢ１がＲＭＳＩに関連付けられていない場合、通信事業者Ａのネットワーク装置は該ＳＳＢ１におけるＰＢＣＨを介して、ｃｅｌｌ  ｄｅｆｉｎｉｎｇ  ＳＳＢの周波数領域位置を示す。キャリアＡにおけるＳＳＢがキャリアＡからキャリアＣまでのｃｅｌｌ  ｄｅｆｉｎｉｎｇ  ＳＳＢの周波数領域位置を示すと仮定し、キャリアＢが通信事業者Ｂの使用するキャリアであるため、それに含まれるｃｅｌｌ  ｄｅｆｉｎｉｎｇ  ＳＳＢの周波数領域位置が通信事業者Ａのネットワーク装置に示されないことになり、そうするとキャリアＢの位置する周波数領域リソースにはユーザー装置のサーチすべきＲＭＳＩに関連付けられるＳＳＢがない。ユーザー装置がキャリアＢの位置するリソースをサーチすると、ユーザー装置がＳＳＢ伝送なしの周波数領域範囲内において無駄なサーチを行うことになり、このため、ユーザー装置の初期サーチ過程に必要な時間を延長させ、更にユーザー装置がネットワーク装置に初期アクセスするために必要な時間を延長させてしまう。
【００６１】
以上によれば、本願では、ネットワーク装置はどの周波数領域範囲内にＳＳＢ伝送がないかをユーザー装置に示すことにより、ユーザー装置がＳＳＢなしの周波数領域範囲内において無駄なサーチを行うことを回避し、ユーザー装置の初期サーチ過程を加速し、更に初期サーチ過程における消費電力を低減する。
【００６２】
本願の一実施例では、前記ネットワーク装置が、第１周波数領域範囲内にＳＳＢがないことを示すための指示をユーザー装置に送信することは、
前記ネットワーク装置は前記第１周波数領域範囲を示すための第１メッセージを前記ユーザー装置に送信することと、
前記ネットワーク装置は前記第１周波数領域範囲内に前記ＳＳＢがないことを示すための第２メッセージを前記ユーザー装置に送信することと、を含む。
【００６３】
本願の一実施例では、前記ユーザー装置がネットワーク装置からの、第１周波数領域範囲内にＳＳＢがないことを示すための指示を受信することは、
前記ユーザー装置は前記ネットワーク装置からの、前記第１周波数領域範囲を示すための第１メッセージを受信することと、
前記ユーザー装置は前記ネットワーク装置からの、前記第１周波数領域範囲内に前記ＳＳＢがないことを示すための第２メッセージを受信することと、を含む。
【００６４】
第１メッセージ及び第２メッセージはネットワーク装置からユーザー装置に送信されたダウンリンクデータに含まれてもよく、ネットワーク装置からユーザー装置に送信されたダウンリンクメッセージに含まれてもよく、等々、ここで制限しない。
【００６５】
ネットワーク装置は第１メッセージと第２メッセージをユーザー装置に一括して送信してもよく、第１メッセージと第２メッセージを別々にユーザー装置に送信してもよい。
【００６６】
本願の一実施例では、前記ネットワーク装置はＰＢＣＨにおける第１情報フィールドによって前記第１メッセージをベアリングし、前記第１情報フィールドはＳＳＢの周波数領域位置を示すための情報フィールドを再利用し、又は、前記第１情報フィールドはＲＭＳＩの制御情報リソースセット（ＣＯＲＥＳＥＴ、Ｃｏｎｔｒｏｌ  Ｒｅｓｏｕｒｃｅ  Ｓｅｔ）情報フィールドを再利用する。
【００６７】
具体的に、ＰＢＣＨに１つの情報フィールド（即ち、上記第１情報フィールド）があり、従来技術では、この情報フィールドはＳＳＢの周波数領域位置を示すための情報フィールドであり、又はこの情報フィールドはＲＭＳＩのＣＯＲＥＳＥＴ情報フィールドである。本願では、ＰＢＣＨの位置するＳＳＢがＲＭＳＩに関連付けられていないため、このＲＭＳＩに関連付けられていないＳＳＢに対応するＰＢＣＨの情報フィールドはアイドルフィールドであり、従って、本願では、ネットワーク装置はこの情報フィールドを再利用して周波数領域範囲を示してもよい。
【００６８】
本願の一実施例では、前記ネットワーク装置はＰＢＣＨの物理リソースブロック（ＰＲＢ、Ｐｈｙｓｉｃａｌ  Ｒｅｓｏｕｒｃｅ  Ｂｌｏｃｋ）グリッドオフセット（ｇｒｉｄ  ｏｆｆｓｅｔ）情報フィールドのリザーブ値によって前記第２メッセージをベアリングする。
【００６９】
具体的に、ＰＢＣＨにはＰＢＣＨの位置するＳＳＢがＲＭＳＩに関連付けられるかどうかを示すための情報がベアリングされる。従来技術では、ネットワーク装置はＰＢＣＨのＰＲＢ  ｇｒｉｄ  ｏｆｆｓｅｔ情報フィールドにおけるリザーブ値でＲＭＳＩがないことを示してもよい。ＰＲＢ  ｇｒｉｄ  ｏｆｆｓｅｔ情報フィールドは８つのビットを含み、この８つのビットのうちの４つのビットは同期信号ブロック及び非同期信号ブロックのチャネル又は信号間のＰＲＢグリッド間のオフセットを示すことに用いられる。以上によれば、ＰＲＢ  ｇｒｉｄ  ｏｆｆｓｅｔ情報フィールドには、４つのアイドルビット（即ち、４つのリザーブ値）が残り、ＲＭＳＩがないことを示すことに用いられてもよい。ＰＲＢ  ｇｒｉｄ  ｏｆｆｓｅｔ情報フィールドに含まれる４つのアイドルビットのうち、１つのリザーブ値はＲＭＳＩがないことを示すことに用いられても、他の情報を示すことに用いられてもよいリザーブ値が３つあり、従って、本願では、ＰＲＢ  ｇｒｉｄ  ｏｆｆｓｅｔ情報フィールドのリザーブ値でＳＳＢがないことを示してもよい。
【００７０】
本願の一実施例では、前記第１メッセージの指示方式は以下の１つを含む。
【００７１】
１）前記第１メッセージは第１情報と第２情報を含み、前記第１情報は前記第１周波数領域範囲の開始点を示すことに用いられ、前記第２情報は前記第１周波数領域範囲の終止点を示すことに用いられ、前記第１情報の長さは前記第２情報の長さと同じであり、又は前記第１情報の長さは前記第２情報の長さと異なる。
【００７２】
具体的に、第１メッセージが８つのビットを含み、この８つのビットが２つの部分に分けられ、２つの部分での長さが同じであると仮定する場合、８つのビットのうちの４つのビットは第１周波数領域範囲の終止点を示すことに用いられ、８つのビットのうちの残りの４つのビットは第１周波数領域範囲の開始点を示すことに用いられ、２つの部分での長さが異なる場合、８つのビットのうちのＸ（Ｘが１以上の整数である）個のビットは第１周波数領域範囲の終止点を示すことに用いられ、８つのビットのうちの残りの８−Ｘ個のビットは第１周波数領域範囲の開始点を示すことに用いられる。
【００７３】
２）前記第１メッセージは前記第１周波数領域範囲の開始点を示すことに用いられる。
【００７４】
具体的に、第１メッセージが８つのビットを含むと仮定すると、この８つのビットはすべて第１周波数領域範囲の開始点を示すことに用いられる。
【００７５】
３）前記第１メッセージは前記第１周波数領域範囲の終止点を示すことに用いられる。
【００７６】
具体的に、第１メッセージが８つのビットを含むと仮定すると、この８つのビットはすべて第１周波数領域範囲の終止点を示すことに用いられる。
【００７７】
本願の一実施例では、前記第１メッセージに使用される指示方式は予め定義されたものであり、又は、前記第１メッセージに使用される指示方式は前記ネットワーク装置がＰＢＣＨのＰＲＢ  ｇｒｉｄ  ｏｆｆｓｅｔ情報フィールドのリザーブ値で示すものである。
【００７８】
ネットワーク装置はＰＢＣＨのＰＲＢ  ｇｒｉｄ  ｏｆｆｓｅｔ情報フィールドのリザーブ値で前記第１メッセージに使用される指示方式を示し、具体的に表１に示される。表１によれば、ＰＲＢ  ｇｒｉｄ  ｏｆｆｓｅｔ情報フィールドのリザーブ値が２５である場合、第１メッセージに使用される指示方式は８つのビットがすべて第１周波数領域範囲の開始点を示すことに用いられることであり、ＰＲＢ  ｇｒｉｄ  ｏｆｆｓｅｔ情報フィールドのリザーブ値が２７である場合、第１メッセージに使用される指示方式は４つのビットが第１周波数領域範囲の開始点を示すことに用いられ、４つのビットが第１周波数領域範囲の終止点を示すことに用いられることである。
【００７９】
【表１】
2021513804.tif 000003
【００８０】
本願の一実施例では、前記第１情報が前記第１周波数領域範囲の開始点を示す指示ステップサイズ及び／又は前記第２情報が前記第１周波数領域範囲の終止点を示す指示ステップサイズは予め定義されたものであり、又は前記ネットワーク装置がＰＢＣＨのＰＲＢ  ｇｒｉｄ  ｏｆｆｓｅｔ情報フィールドのリザーブ値で示すものである。
【００８１】
ＰＢＣＨのＰＲＢ  ｇｒｉｄ  ｏｆｆｓｅｔ情報フィールドのリザーブ値による具体的な指示は表１−１に示される。
【００８２】
【表２】
2021513804.tif 000004
【００８３】
表１−１では、ステップサイズ１、ステップサイズ２及びステップサイズ３はネットワーク装置とユーザー装置が予め協議して決めたものである。例えば、ステップサイズ１が５ＭＨｚ、ステップサイズ２が１０ＭＨｚ、ステップサイズ３が２０ＭＨｚである。又は、表１−１では、ステップサイズ１、ステップサイズ２及びステップサイズ３はネットワーク装置がＰＢＣＨにおける他のビット値で示すものである。例えば、ＲＭＳＩが含まれていないＳＳＢでは、ＲＭＳＩ  ＣＯＲＥＳＥＴを示すｎｕｍｅｒｏｌｏｇｙ、Ｃｅｌｌ−ｂａｒ等のビットはステップサイズを示すことに用いられてもよい。例えば、ＲＭＳＩ  ＣＯＲＥＳＥＴを示すｎｕｍｅｒｏｌｏｇｙのビット値が０である場合にステップサイズ１（例えば、５ＭＨＺ）を代表し、ＲＭＳＩ  ＣＯＲＥＳＥＴを示すｎｕｍｅｒｏｌｏｇｙのビット値が１である場合にステップサイズ２（例えば、１０ＭＨＺ）を代表し、ステップサイズ１、ステップサイズ２はネットワーク装置とユーザー装置が予め協議して決めたものであってもよい。
【００８４】
本願の一実施例では、前記ネットワーク装置が、第１周波数領域範囲内にＳＳＢがないことを示すための指示をユーザー装置に送信することは、
前記ネットワーク装置は前記第１周波数領域範囲内に前記ＳＳＢがないことを示すための第３メッセージを前記ユーザー装置に送信することを含む。
【００８５】
本願の一実施例では、前記ユーザー装置がネットワーク装置からの、第１周波数領域範囲内にＳＳＢがないことを示すための前記指示を受信することは、
前記ユーザー装置は前記ネットワーク装置からの、前記第１周波数領域範囲内に前記ＳＳＢがないことを示すための第３メッセージを受信することを含む。
【００８６】
第３メッセージはネットワーク装置からユーザー装置に送信されたダウンリンクデータに含まれてもよく、ネットワーク装置からユーザー装置に送信されたダウンリンクメッセージ等に含まれてもよく、ここで制限しない。
【００８７】
本願の一実施例では、前記ネットワーク装置はＰＢＣＨにおける第２情報フィールドによって前記第３メッセージをベアリングし、前記第２情報フィールドはＳＳＢの周波数領域位置を示すための情報フィールドを再利用し、又は、前記第２情報フィールドはＲＭＳＩのＣＯＲＥＳＥＴ情報フィールドを再利用する。
【００８８】
本願の一実施例では、前記第３メッセージは複数の第１ビットを含み、各第１ビットは１つの第２周波数領域範囲に対応し、前記複数の第１ビットに対応する複数の第２周波数領域範囲はＰＢＣＨで示すことができる周波数バンドを構成し、第１ビットｘの値が第１設定値に等しい場合、前記第１ビットｘに対応する第２周波数領域範囲は前記第１周波数領域範囲であり、前記第１ビットｘは前記複数のビットのうちの１つである。
【００８９】
第１設定値は１であってもよく、０であってもよい。
【００９０】
具体的に、図４Ｂに示すように、第３メッセージは８つのビットを含み、第１ビット１は第２周波数領域範囲１に対応し、第１ビット２は第２周波数領域範囲２に対応し、第１ビット３は第２周波数領域範囲３に対応し、・・・、第１ビット８は第２周波数領域範囲８に対応する。第２周波数領域範囲１＋第２周波数領域範囲２＋第２周波数領域範囲３＋…＋第２周波数領域範囲８＝ＰＢＣＨで示すことができる周波数バンド全体である。第１設定値が１、第１ビット１の値が１、第１ビット２の値が０、第１ビット３の値が１、第１ビット４の値が１、第１ビット５の値が０、第１ビット６の値が０、第１ビット７の値が１、第１ビット８の値が０であると仮定する場合、ＳＳＢなしの周波数領域範囲は第２周波数領域範囲１、第２周波数領域範囲３、第２周波数領域範囲４及び第２周波数領域範囲７である。
【００９１】
本願の一実施例では、前記複数の第２周波数領域範囲に比例関係があり、前記比例関係は予め定義されたものである。
【００９２】
上記比例関係は１：１：１：１：１：１：１：１であってもよく、０．２：０．１：０．１：０．１：０．２：０．１：０．１：０．１であってもよく、又は他の値であってもよく、ここで制限しない。
【００９３】
上記比例関係は標準プロトコルに従って予め定義したものであってもよく、ネットワーク装置とユーザー装置が予め決めたもの等であってもよく、ここで制限しない。
【００９４】
本願の一実施例では、前記第３メッセージは複数の第２ビットを含み、各第２ビットは１つの第３周波数領域範囲に対応し、前記複数の第２ビットに対応する複数の第３周波数領域範囲は第４周波数領域範囲を構成し、ＰＢＣＨで示すことができる周波数バンドは前記第４周波数領域範囲を含み、第２ビットｙの値が第２設定値に等しい場合、前記第２ビットｙに対応する第３周波数領域範囲は前記第１周波数領域範囲であり、前記第２ビットｙは前記複数のビットのうちの１つである。
【００９５】
第２設定値は１であってもよく、０であってもよい。
【００９６】
具体的に、図４Ｃに示すように、第３メッセージは８つのビットを含み、第２ビット１は第３周波数領域範囲１に対応し、第２ビット２は第３周波数領域範囲２に対応し、第２ビット３は第３周波数領域範囲３に対応し、・・・、第２ビット８は第３周波数領域範囲８に対応する。第３周波数領域範囲１＋第３周波数領域範囲２＋第３周波数領域範囲３＋…＋第３周波数領域範囲８＝第４周波数バンド範囲であり、第４周波数バンド範囲はＰＢＣＨで示すことができる周波数バンド全体における一部の周波数範囲である。第２設定値が１、第２ビット１の値が１、第２ビット２の値が０、第２ビット３の値が１、第２ビット４の値が１、第２ビット５の値が０、第２ビット６の値が０、第２ビット７の値が１、第２ビット８の値が０であると仮定する場合、ＳＳＢなしの周波数領域範囲は第３周波数領域範囲１、第３周波数領域範囲３、第３周波数領域範囲４及び第３周波数領域範囲７である。
【００９７】
本願の一実施例では、前記複数の第３周波数領域範囲の周波数領域幅は同じであり、例えば、この複数の第３周波数領域範囲の周波数領域幅はいずれも１０ＭＨＺ、２０ＭＨＺ又は３０ＭＨＺ等である。又は、前記複数の第３周波数領域範囲の周波数領域幅は部分的に異なり、例えば、この複数の第３周波数領域範囲は８つの第３周波数領域範囲を含み、この８つの第３周波数領域範囲のうちの３つの周波数領域範囲の周波数領域幅は１０ＭＨＺであり、この８つの第３周波数領域範囲のうちの３つの周波数領域範囲の周波数領域幅は２０ＭＨＺであり、この８つの第３周波数領域範囲のうちの２つの周波数領域範囲の周波数領域幅は３０ＭＨＺである。又は、前記複数の第３周波数領域範囲の周波数領域幅は互いに異なり、例えば、この複数の第３周波数領域範囲は８つの第３周波数領域範囲を含み、この８つの第３周波数領域範囲の周波数領域幅はそれぞれ５ＭＨＺ、１０ＭＨＺ、１５ＭＨＺ、２０ＭＨＺ、２５ＭＨＺ、３０ＭＨＺ、３５ＭＨＺ及び４０ＭＨＺである。
【００９８】
本願の一実施例では、前記複数の第３周波数領域範囲の周波数領域幅が同じである場合、前記第３周波数領域範囲の周波数領域幅は予め定義されたものであり、又は、前記第３周波数領域範囲の周波数領域幅は前記ネットワーク装置がＰＢＣＨのＰＲＢ  ｇｒｉｄ  ｏｆｆｓｅｔ情報フィールドのリザーブ値で示すものである。
【００９９】
ネットワーク装置はＰＢＣＨのＰＲＢ  ｇｒｉｄ  ｏｆｆｓｅｔ情報フィールドのリザーブ値で第３周波数領域範囲の周波数領域幅を示し、具体的に表２に示される。表２によれば、ＰＲＢ  ｇｒｉｄ  ｏｆｆｓｅｔ情報フィールドのリザーブ値が２５である場合、第３周波数領域範囲の周波数領域幅は５ＭＨＺであり、ＰＲＢ  ｇｒｉｄ  ｏｆｆｓｅｔ情報フィールドのリザーブ値が２７である場合、第３周波数領域範囲の周波数領域幅は１５ＭＨＺである。
【０１００】
【表３】
2021513804.tif 000005
【０１０１】
本願の一実施例では、前記第４周波数領域範囲とＰＢＣＨに含まれるＳＳＢとの位置関係は予め定義されたものであり、又は、前記第４周波数領域範囲とＰＢＣＨに含まれるＳＳＢとの位置関係は前記ネットワーク装置がＰＢＣＨのＰＲＢ  ｇｒｉｄ  ｏｆｆｓｅｔ情報フィールドのリザーブ値で示すものである。
【０１０２】
本願の一実施例では、前記第４周波数領域範囲とＰＢＣＨに含まれるＳＳＢとの位置関係は前記ネットワーク装置がＰＢＣＨのＰＲＢ  ｇｒｉｄ  ｏｆｆｓｅｔ情報フィールドのリザーブ値で示すものであり、具体的に、
前記複数の第３周波数領域範囲の周波数領域幅が同じである場合、前記ネットワーク装置はＰＢＣＨのＰＲＢ  ｇｒｉｄ  ｏｆｆｓｅｔ情報フィールドのリザーブ値で、前記第３周波数領域範囲の周波数領域幅及び前記ＰＢＣＨの位置するＳＳＢの前記第４周波数領域範囲での位置を示す。
【０１０３】
具体的に、表３に示される。表３によれば、ＰＲＢ  ｇｒｉｄ  ｏｆｆｓｅｔ情報フィールドのリザーブ値が２５である場合、第３周波数領域範囲の周波数領域幅は１０ＭＨＺであり、この複数の第３周波数領域範囲が８つの第３周波数領域範囲を含むと仮定する場合、第４周波数領域範囲の周波数領域幅は８０ＭＨＺであり、ＰＢＣＨの位置するＳＳＢの第４周波数領域範囲での位置は第４周波数領域範囲の開始周波数から開始周波数後の１０ＭＨＺ周波数までの範囲内にある。図４Ｄによれば、ＰＢＣＨの位置するＳＳＢは第３周波数領域範囲１内にあり、ＰＲＢ  ｇｒｉｄ  ｏｆｆｓｅｔ情報フィールドのリザーブ値が２９である場合、第３周波数領域範囲の周波数領域幅は２０ＭＨＺであり、この複数の第３周波数領域範囲が８つの第３周波数領域範囲を含むと仮定する場合、第４周波数領域範囲の周波数領域幅は１６０ＭＨＺであり、ＰＢＣＨの位置するＳＳＢの第４周波数領域範囲での位置は第４周波数領域範囲の開始周波数から開始周波数後の２０ＭＨＺ周波数までの範囲内にある。図４Ｅによれば、ＰＢＣＨの位置するＳＳＢは第３周波数領域範囲１内にある。
【０１０４】
【表４】
2021513804.tif 000006
【０１０５】
本願の一実施例では、前記第４周波数領域範囲とＰＢＣＨに含まれるＳＳＢとの位置関係は前記ネットワーク装置がＰＢＣＨのＰＲＢ  ｇｒｉｄ  ｏｆｆｓｅｔ情報フィールドのリザーブ値で示すものであり、具体的に、
前記複数の第３周波数領域範囲の周波数領域幅が部分的に異なり、又は、前記複数の第３周波数領域範囲の周波数領域幅が互いに異なる場合、前記ネットワーク装置はＰＢＣＨのＰＲＢ  ｇｒｉｄ  ｏｆｆｓｅｔ情報フィールドのリザーブ値で、第３周波数領域範囲ｉの周波数領域幅及び前記ＰＢＣＨの位置するＳＳＢの前記第４周波数領域範囲での位置を示し、前記第３周波数領域範囲ｉはいずれも前記複数の第３周波数領域範囲のうちの１つである。
【０１０６】
具体的に、表４に示される。第３周波数領域範囲ｉが１番目の第３周波数領域範囲であると仮定し、表４によれば、ＰＲＢ  ｇｒｉｄ  ｏｆｆｓｅｔ情報フィールドのリザーブ値が２５である場合、１番目の第３周波数領域範囲の周波数領域幅は１０ＭＨＺであり、ＰＢＣＨの位置するＳＳＢは１番目の第３周波数領域範囲にあり、具体的に図４Ｆに示されるとおりであり、ＰＲＢ  ｇｒｉｄ  ｏｆｆｓｅｔ情報フィールドのリザーブ値が３０である場合、１番目の第３周波数領域範囲の周波数領域幅は２０ＭＨＺであり、ＰＢＣＨの位置するＳＳＢは２番目の第３周波数領域範囲にあり、具体的に図４Ｇに示される。
【０１０７】
【表５】
2021513804.tif 000007
【０１０８】
本願の一実施例では、前記第４周波数領域範囲とＰＢＣＨに含まれるＳＳＢとの位置関係は前記ネットワーク装置がＰＢＣＨのＰＲＢ  ｇｒｉｄ  ｏｆｆｓｅｔ情報フィールドのリザーブ値で示すものであり、具体的に、
前記複数の第３周波数領域範囲の周波数領域幅が部分的に異なり、又は、前記複数の第３周波数領域範囲の周波数領域幅が互いに異なる場合、前記ネットワーク装置はＰＢＣＨのＰＲＢ  ｇｒｉｄ  ｏｆｆｓｅｔ情報フィールドのリザーブ値で、前記ＰＢＣＨの位置するＳＳＢの前記第４周波数領域範囲での位置を示す。
【０１０９】
具体的に、表５に示される。表５によれば、ＰＲＢ  ｇｒｉｄ  ｏｆｆｓｅｔ情報フィールドのリザーブ値が２５である場合、ＰＢＣＨの位置するＳＳＢは１番目の第３周波数領域範囲にあり、ＰＲＢ  ｇｒｉｄ  ｏｆｆｓｅｔ情報フィールドのリザーブ値が３０である場合、ＰＢＣＨの位置するＳＳＢは６番目の第３周波数領域範囲にある。
【０１１０】
【表６】
2021513804.tif 000008
【０１１１】
上記無線通信システム１００、ユーザー装置２００及びネットワーク装置３００にそれぞれ対応する実施例に基づいて、本願の実施例は同期信号ブロック検出方法を提供する。
【０１１２】
図５に示すように、図５は本願の実施例に係る同期信号ブロック検出方法の模式的なフローチャートであり、
ネットワーク装置は第１周波数領域位置においてＳＳＢがあることを示すための指示をユーザー装置に送信するステップ５０１と、
ユーザー装置がネットワーク装置からの前記指示を受信し、前記ユーザー装置が前記指示に基づいてＳＳＢを検出するステップ５０２と、を含む。
【０１１３】
更に、前記ＳＳＢはＲＭＳＩに関連付けられる。
【０１１４】
ＲＭＳＩはＰＤＳＣＨにベアリングされており、ＰＤＳＣＨのＤＣＩはＰＤＣＣＨにベアリングされており、ＰＤＣＣＨの位置する時間周波数リソース位置をＰＢＣＨで示し、ＰＢＣＨは更にその位置するＳＳＢがＲＭＳＩに関連付けられるかどうかを示す。従って、ＲＭＳＩに関連付けられるＳＳＢによってＲＭＳＩを取得することができる。
【０１１５】
具体的に、周波数領域リソースを各通信事業者に割り当て、１つのｂａｎｄにおける異なる周波数領域リソースを異なる通信事業者に割り当てる可能性がある。図１Ｂに示すように、キャリアＡとキャリアＣを通信事業者Ａに割り当て、キャリアＢを通信事業者Ｂに割り当てる。ユーザー装置がキャリアＡにおいてＳＳＢ１を見つかったが、ＳＳＢ１がＲＭＳＩに関連付けられていない場合、通信事業者Ａのネットワーク装置は該ＳＳＢ１におけるＰＢＣＨを介して、ｃｅｌｌ  ｄｅｆｉｎｉｎｇ  ＳＳＢの周波数領域位置を示す。キャリアＡにおけるＳＳＢがキャリアＡからキャリアＣまでのｃｅｌｌ  ｄｅｆｉｎｉｎｇ  ＳＳＢの周波数領域位置を示すと仮定し、キャリアＢが通信事業者Ｂの使用するキャリアであるため、それに含まれるｃｅｌｌ  ｄｅｆｉｎｉｎｇ  ＳＳＢの周波数領域位置が通信事業者Ａのネットワーク装置に示されないことになり、そうするとキャリアＢの位置する周波数領域リソースにはユーザー装置のサーチすべきＲＭＳＩに関連付けられるＳＳＢがない。ユーザー装置がキャリアＢの位置するリソースをサーチすると、ユーザー装置がＳＳＢ伝送なしの周波数領域範囲内において無駄なサーチを行うことになり、このため、ユーザー装置の初期サーチ過程に必要な時間を延長させ、更にユーザー装置がネットワーク装置に初期アクセスするために必要な時間を延長させてしまう。
【０１１６】
以上によれば、本願では、ネットワーク装置はどの周波数領域位置においてＳＳＢ伝送があるかをユーザー装置に示すことにより、ユーザー装置がＳＳＢなしの周波数領域位置で無駄なサーチを行うことを回避し、ユーザー装置の初期サーチ過程を加速し、更に初期サーチ過程における消費電力を低減する。
【０１１７】
本願の一実施例では、ネットワーク装置が、第１周波数領域位置においてＳＳＢがあることを示すための指示をユーザー装置に送信することは、
前記ネットワーク装置は前記第１周波数領域位置を示すための第１メッセージを前記ユーザー装置に送信することと、
前記ネットワーク装置は前記第１周波数領域位置において前記ＳＳＢがあることを示すための第２メッセージを前記ユーザー装置に送信することと、を含む。
【０１１８】
本願の一実施例では、前記ユーザー装置がネットワーク装置からの、第１周波数領域位置においてＳＳＢがあることを示すための指示を受信することは、
前記ユーザー装置は前記ユーザー装置からの、前記第１周波数領域位置を示すための第１メッセージを受信することと、
前記ユーザー装置は前記ユーザー装置からの、前記第１周波数領域位置において前記ＳＳＢがあることを示すための第２メッセージを受信することと、を含む。
【０１１９】
第１メッセージ及び第２メッセージはネットワーク装置からユーザー装置に送信されたダウンリンクデータに含まれてもよく、ネットワーク装置からユーザー装置に送信されたダウンリンクメッセージに含まれてもよく、等々、ここで制限しない。
【０１２０】
ネットワーク装置は第１メッセージと第２メッセージをユーザー装置に一括して送信してもよく、第１メッセージと第２メッセージを別々にユーザー装置に送信してもよい。
【０１２１】
本願の一実施例では、前記ネットワーク装置はＰＢＣＨにおける第１情報フィールドによって前記第１メッセージをベアリングし、前記第１情報フィールドはＳＳＢの周波数領域位置を示すための情報フィールドを再利用し、又は、前記第１情報フィールドはＲＭＳＩのＣＯＲＥＳＥＴ情報フィールドを再利用する。
【０１２２】
具体的に、ＰＢＣＨに１つの情報フィールド（即ち、上記第１情報フィールド）があり、従来技術では、この情報フィールドはＳＳＢの周波数領域位置を示すための情報フィールドであり、又はこの情報フィールドはＲＭＳＩのＣＯＲＥＳＥＴ情報フィールドである。本願では、ＰＢＣＨの位置するＳＳＢがＲＭＳＩに関連付けられていないため、このＲＭＳＩに関連付けられていないＳＳＢに対応するＰＢＣＨの情報フィールドはアイドルフィールドであり、従って、本願では、ネットワーク装置はこの情報フィールドを再利用して周波数領域範囲を示してもよい。
【０１２３】
本願の一実施例では、前記ネットワーク装置はＰＢＣＨのＰＲＢ  ｇｒｉｄ  ｏｆｆｓｅｔ情報フィールドのリザーブ値で前記第２メッセージをベアリングする。
【０１２４】
具体的に、ＰＢＣＨにはＰＢＣＨの位置するＳＳＢがＲＭＳＩに関連付けられるかどうかを示すための情報がベアリングされる。従来技術では、ネットワーク装置はＰＢＣＨのＰＲＢ  ｇｒｉｄ  ｏｆｆｓｅｔ情報フィールドにおけるリザーブ値でＲＭＳＩがないことを示してもよい。ＰＲＢ  ｇｒｉｄ  ｏｆｆｓｅｔ情報フィールドは８つのビットを含み、この８つのビットのうちの４つのビットは同期信号ブロック及び非同期信号ブロックのチャネル又は信号間のＰＲＢグリッド間のオフセットを示すことに用いられる。以上によれば、ＰＲＢ  ｇｒｉｄ  ｏｆｆｓｅｔ情報フィールドには、４つのアイドルビット（即ち、４つのリザーブ値）が残り、ＲＭＳＩがないことを示すことに用いられてもよい。ＰＲＢ  ｇｒｉｄ  ｏｆｆｓｅｔ情報フィールドに含まれる４つのアイドルビットのうち、１つのリザーブ値はＲＭＳＩがないことを示すことに用いられても、他の情報を示すことに用いられてもよいリザーブ値が３つあり、従って、本願では、ＰＲＢ  ｇｒｉｄ  ｏｆｆｓｅｔ情報フィールドのリザーブ値でＳＳＢがないことを示してもよい。
【０１２５】
本願の一実施例では、前記第１メッセージは周波数領域位置情報を含み、前記周波数領域位置情報は位置情報を含み、前記周波数領域位置情報はＳＳＢの前記第１周波数領域範囲内での同期グリッドの絶対位置を示し、又は、前記周波数領域位置情報は周波数領域オフセットを含み、前記周波数領域オフセットは前記第１周波数領域位置の位置する同期グリッドとＰＢＣＨの位置するＳＳＢに対応する同期グリッドとの間の間隔である。
【０１２６】
図６に示すように、図６には本願の実施例に係るコンピュータ装置６００を示し、該コンピュータ装置６００はネットワーク装置とユーザー装置を備える通信システムに適用され、コンピュータ装置６００はユーザー装置であってもよく、ネットワーク装置であってもよく、該コンピュータ装置６００は１つ又は複数のプロセッサ、１つ又は複数のメモリ、１つ又は複数の送受信機及び１つ又は複数のプログラムを備え、
前記１つ又は複数のプログラムは前記メモリに記憶され、且つ前記１つ又は複数のプロセッサにより実行されるように設定される。
【０１２７】
一実施例では、コンピュータ装置６００がネットワーク装置である場合、前記プログラムは、第１周波数領域範囲内にＳＳＢがないことを示すための指示をユーザー装置に送信するステップを実行するための命令を含む。
【０１２８】
選択肢として、前記ＳＳＢはＲＭＳＩに関連付けられる。
【０１２９】
選択肢として、第１周波数領域範囲内にＳＳＢがないことを示すための指示をユーザー装置に送信する態様では、前記プログラムは具体的に、
前記第１周波数領域範囲を示すための第１メッセージを前記ユーザー装置に送信するステップと、
前記第１周波数領域範囲内に前記ＳＳＢがないことを示すための第２メッセージを前記ユーザー装置に送信するステップと、を実行するための命令を含む。
【０１３０】
選択肢として、前記ネットワーク装置はＰＢＣＨにおける第１情報フィールドによって前記第１メッセージをベアリングし、前記第１情報フィールドはＳＳＢの周波数領域位置を示すための情報フィールドを再利用し、又は、前記第１情報フィールドはＲＭＳＩのＣＯＲＥＳＥＴ情報フィールドを再利用する。
【０１３１】
選択肢として、前記ネットワーク装置はＰＢＣＨのＰＲＢ  ｇｒｉｄ  ｏｆｆｓｅｔ情報フィールドのリザーブ値によって前記第２メッセージをベアリングする。
【０１３２】
選択肢として、前記第１メッセージの指示方式は、
１）前記第１メッセージが第１情報と第２情報を含み、前記第１情報は前記第１周波数領域範囲の開始点を示すことに用いられ、前記第２情報は前記第１周波数領域範囲の終止点を示すことに用いられ、前記第１情報の長さが前記第２情報の長さと同じであり、又は前記第１情報の長さが前記第２情報の長さと異なること、
２）前記第１メッセージは前記第１周波数領域範囲の開始点を示すことに用いられること、
３）前記第１メッセージは前記第１周波数領域範囲の終止点を示すことに用いられること、のうちの１つを含む。
【０１３３】
選択肢として、前記第１メッセージに使用される指示方式は予め定義されたものであり、又は、前記第１メッセージに使用される指示方式は前記ネットワーク装置がＰＢＣＨのＰＲＢ  ｇｒｉｄ  ｏｆｆｓｅｔ情報フィールドのリザーブ値で示すものである。
【０１３４】
選択肢として、前記第１情報が前記第１周波数領域範囲の開始点を示す指示ステップサイズ及び／又は前記第２情報が前記第１周波数領域範囲の終止点を示す指示ステップサイズは予め定義されたものであり、又は前記ネットワーク装置がＰＢＣＨのＰＲＢ  ｇｒｉｄ  ｏｆｆｓｅｔ情報フィールドのリザーブ値で示すものである。
【０１３５】
選択肢として、第１周波数領域範囲内にＳＳＢがないことを示すための指示をユーザー装置に送信する態様では、前記プログラムは具体的に、前記第１周波数領域範囲内に前記ＳＳＢがないことを示すための第３メッセージを前記ユーザー装置に送信するステップを実行するための命令を含む。
【０１３６】
選択肢として、前記ネットワーク装置はＰＢＣＨにおける第２情報フィールドによって前記第３メッセージをベアリングし、前記第２情報フィールドはＳＳＢの周波数領域位置を示すための情報フィールドを再利用し、又は、前記第２情報フィールドはＲＭＳＩのＣＯＲＥＳＥＴ情報フィールドを再利用する。
【０１３７】
選択肢として、前記第３メッセージは複数の第１ビットを含み、各第１ビットは１つの第２周波数領域範囲に対応し、前記複数の第１ビットに対応する複数の第２周波数領域範囲はＰＢＣＨで示すことができる周波数バンドを構成し、第１ビットｘの値が第１設定値に等しい場合、前記第１ビットｘに対応する第２周波数領域範囲は前記第１周波数領域範囲であり、前記第１ビットｘは前記複数のビットのうちの１つである。
【０１３８】
選択肢として、前記複数の第２周波数領域範囲に比例関係があり、前記比例関係は予め定義されたものである。
【０１３９】
選択肢として、前記第３メッセージは複数の第２ビットを含み、各第２ビットは１つの第３周波数領域範囲に対応し、前記複数の第２ビットに対応する複数の第３周波数領域範囲は第４周波数領域範囲を構成し、ＰＢＣＨで示すことができる周波数バンドは前記第４周波数領域範囲を含み、第２ビットｙの値が第２設定値に等しい場合、前記第２ビットｙに対応する第３周波数領域範囲は前記第１周波数領域範囲であり、前記第２ビットｙは前記複数のビットのうちの１つである。
【０１４０】
選択肢として、前記複数の第３周波数領域範囲の周波数領域幅は同じであり、又は前記複数の第３周波数領域範囲の周波数領域幅は部分的に異なり、又は、前記複数の第３周波数領域範囲の周波数領域幅は互いに異なる。
【０１４１】
選択肢として、前記複数の第３周波数領域範囲の周波数領域幅が同じである場合、前記第３周波数領域範囲の周波数領域幅は予め定義されたものであり、又は、前記第３周波数領域範囲の周波数領域幅は前記ネットワーク装置がＰＢＣＨのＰＲＢ  ｇｒｉｄ  ｏｆｆｓｅｔ情報フィールドのリザーブ値で示すものである。
【０１４２】
選択肢として、前記第４周波数領域範囲とＰＢＣＨに含まれるＳＳＢとの位置関係は予め定義されたものであり、又は、前記第４周波数領域範囲とＰＢＣＨに含まれるＳＳＢとの位置関係は前記ネットワーク装置がＰＢＣＨのＰＲＢ  ｇｒｉｄ  ｏｆｆｓｅｔ情報フィールドのリザーブ値で示すものである。
【０１４３】
選択肢として、前記第４周波数領域範囲とＰＢＣＨに含まれるＳＳＢとの位置関係は前記ネットワーク装置がＰＢＣＨのＰＲＢ  ｇｒｉｄ  ｏｆｆｓｅｔ情報フィールドのリザーブ値で示すものであり、
１）前記複数の第３周波数領域範囲の周波数領域幅が同じである場合、前記ネットワーク装置はＰＢＣＨのＰＲＢ  ｇｒｉｄ  ｏｆｆｓｅｔ情報フィールドのリザーブ値で、前記第３周波数領域範囲の周波数領域幅及び前記ＰＢＣＨの位置するＳＳＢの前記第４周波数領域範囲での位置を示すこと、
２）前記複数の第３周波数領域範囲の周波数領域幅が部分的に異なり、又は、前記複数の第３周波数領域範囲の周波数領域幅が互いに異なる場合、前記ネットワーク装置はＰＢＣＨのＰＲＢ  ｇｒｉｄ  ｏｆｆｓｅｔ情報フィールドのリザーブ値で、第３周波数領域範囲ｉの周波数領域幅及び前記ＰＢＣＨの位置するＳＳＢの前記第４周波数領域範囲での位置を示し、前記第３周波数領域範囲ｉがいずれも前記複数の第３周波数領域範囲のうちの１つであること、
３）前記複数の第３周波数領域範囲の周波数領域幅が部分的に異なり、又は、前記複数の第３周波数領域範囲の周波数領域幅が互いに異なる場合、前記ネットワーク装置はＰＢＣＨのＰＲＢ  ｇｒｉｄ  ｏｆｆｓｅｔ情報フィールドのリザーブ値で、前記ＰＢＣＨの位置するＳＳＢの前記第４周波数領域範囲での位置を示すこと、のうちの１つを含む。
【０１４４】
一実施例では、コンピュータ装置６００がユーザー装置である場合、前記プログラムは、
ネットワーク装置からの、第１周波数領域範囲内にＳＳＢがないことを示すための指示を受信するステップと、
前記指示に基づいてＳＳＢを検出するステップと、を実行するための命令を含む。
【０１４５】
選択肢として、前記ＳＳＢはＲＭＳＩに関連付けられる。
【０１４６】
選択肢として、ネットワーク装置からの、第１周波数領域範囲内にＳＳＢがないことを示すための指示を受信する態様では、前記プログラムは具体的に、
前記ネットワーク装置からの、前記第１周波数領域範囲を示すための第１メッセージを受信するステップと、
前記ネットワーク装置からの、前記第１周波数領域範囲内に前記ＳＳＢがないことを示すための第２メッセージを受信するステップと、を実行するための命令を含む。
【０１４７】
選択肢として、前記ネットワーク装置はＰＢＣＨにおける第１情報フィールドによって前記第１メッセージをベアリングし、前記第１情報フィールドはＳＳＢの周波数領域位置を示すための情報フィールドを再利用し、又は、前記第１情報フィールドはＲＭＳＩのＣＯＲＥＳＥＴ情報フィールドを再利用する。
【０１４８】
選択肢として、前記ネットワーク装置はＰＢＣＨのＰＲＢ  ｇｒｉｄ  ｏｆｆｓｅｔ情報フィールドのリザーブ値によって前記第２メッセージをベアリングする。
【０１４９】
選択肢として、前記第１メッセージの指示方式は、
１）前記第１メッセージが第１情報と第２情報を含み、前記第１情報は前記第１周波数領域範囲の開始点を示すことに用いられ、前記第２情報は前記第１周波数領域範囲の終止点を示すことに用いられ、前記第１情報の長さが前記第２情報の長さと同じであり、又は前記第１情報の長さが前記第２情報の長さと異なること、
２）前記第１メッセージは前記第１周波数領域範囲の開始点を示すことに用いられること、
３）前記第１メッセージは前記第１周波数領域範囲の終止点を示すことに用いられること、のうちの１つを含む。
【０１５０】
選択肢として、前記第１メッセージに使用される指示方式は予め定義されたものであり、又は、前記第１メッセージに使用される指示方式は前記ネットワーク装置がＰＢＣＨのＰＲＢ  ｇｒｉｄ  ｏｆｆｓｅｔ情報フィールドのリザーブ値で示すものである。
【０１５１】
選択肢として、前記第１情報が前記第１周波数領域範囲の開始点を示す指示ステップサイズ及び／又は前記第２情報が前記第１周波数領域範囲の終止点を示す指示ステップサイズは予め定義されたものであり、又は前記ネットワーク装置がＰＢＣＨのＰＲＢ  ｇｒｉｄ  ｏｆｆｓｅｔ情報フィールドのリザーブ値で示すものである。
【０１５２】
選択肢として、ネットワーク装置からの、第１周波数領域範囲内にＳＳＢがないことを示すための指示を受信する態様では、前記プログラムは具体的に、前記ネットワーク装置からの、前記第１周波数領域範囲内に前記ＳＳＢがないことを示すための第３メッセージを受信するステップを実行するための命令を含む。
【０１５３】
選択肢として、前記ネットワーク装置はＰＢＣＨにおける第２情報フィールドによって前記第３メッセージをベアリングし、前記第２情報フィールドはＳＳＢの周波数領域位置を示すための情報フィールドを再利用し、又は、前記第２情報フィールドはＲＭＳＩのＣＯＲＥＳＥＴ情報フィールドを再利用する。
【０１５４】
選択肢として、前記第３メッセージは複数の第１ビットを含み、各第１ビットは１つの第２周波数領域範囲に対応し、前記複数の第１ビットに対応する複数の第２周波数領域範囲はＰＢＣＨで示すことができる周波数バンドを構成し、第１ビットｘの値が第１設定値に等しい場合、前記第１ビットｘに対応する第２周波数領域範囲は前記第１周波数領域範囲であり、前記第１ビットｘは前記複数のビットのうちの１つである。
【０１５５】
選択肢として、前記複数の第２周波数領域範囲に比例関係があり、前記比例関係は予め定義されたものである。
【０１５６】
選択肢として、前記第３メッセージは複数の第２ビットを含み、各第２ビットは１つの第３周波数領域範囲に対応し、前記複数の第２ビットに対応する複数の第３周波数領域範囲は第４周波数領域範囲を構成し、ＰＢＣＨで示すことができる周波数バンドは前記第４周波数領域範囲を含み、第２ビットｙの値が第２設定値に等しい場合、前記第２ビットｙに対応する第３周波数領域範囲は前記第１周波数領域範囲であり、前記第２ビットｙは前記複数のビットのうちの１つである。
【０１５７】
選択肢として、前記複数の第３周波数領域範囲の周波数領域幅は同じであり、又は前記複数の第３周波数領域範囲の周波数領域幅は部分的に異なり、又は、前記複数の第３周波数領域範囲の周波数領域幅は互いに異なる。
【０１５８】
選択肢として、前記複数の第３周波数領域範囲の周波数領域幅が同じである場合、前記第３周波数領域範囲の周波数領域幅は予め定義されたものであり、又は、前記第３周波数領域範囲の周波数領域幅は前記ネットワーク装置がＰＢＣＨのＰＲＢ  ｇｒｉｄ  ｏｆｆｓｅｔ情報フィールドのリザーブ値で示すものである。
【０１５９】
選択肢として、前記第４周波数領域範囲とＰＢＣＨに含まれるＳＳＢとの位置関係は予め定義されたものであり、又は、前記第４周波数領域範囲とＰＢＣＨに含まれるＳＳＢとの位置関係は前記ネットワーク装置がＰＢＣＨのＰＲＢ  ｇｒｉｄ  ｏｆｆｓｅｔ情報フィールドのリザーブ値で示すものである。
【０１６０】
選択肢として、前記第４周波数領域範囲とＰＢＣＨに含まれるＳＳＢとの位置関係は前記ネットワーク装置がＰＢＣＨのＰＲＢ  ｇｒｉｄ  ｏｆｆｓｅｔ情報フィールドのリザーブ値で示すものであり、
１）前記複数の第３周波数領域範囲の周波数領域幅が同じである場合、前記ネットワーク装置はＰＢＣＨのＰＲＢ  ｇｒｉｄ  ｏｆｆｓｅｔ情報フィールドのリザーブ値で、前記第３周波数領域範囲の周波数領域幅及び前記ＰＢＣＨの位置するＳＳＢの前記第４周波数領域範囲での位置を示すこと、
２）前記複数の第３周波数領域範囲の周波数領域幅が部分的に異なり、又は、前記複数の第３周波数領域範囲の周波数領域幅が互いに異なる場合、前記ネットワーク装置はＰＢＣＨのＰＲＢ  ｇｒｉｄ  ｏｆｆｓｅｔ情報フィールドのリザーブ値で、第３周波数領域範囲ｉの周波数領域幅及び前記ＰＢＣＨの位置するＳＳＢの前記第４周波数領域範囲での位置を示し、前記第３周波数領域範囲ｉがいずれも前記複数の第３周波数領域範囲のうちの１つであること、
３）前記複数の第３周波数領域範囲の周波数領域幅が部分的に異なり、又は、前記複数の第３周波数領域範囲の周波数領域幅が互いに異なる場合、前記ネットワーク装置はＰＢＣＨのＰＲＢ  ｇｒｉｄ  ｏｆｆｓｅｔ情報フィールドのリザーブ値で、前記ＰＢＣＨの位置するＳＳＢの前記第４周波数領域範囲での位置を示すこと、のうちの１つを含む。
【０１６１】
なお、本実施例に記載の内容の具体的な実現方式については、上記図４Ａに記載の方法を参照してもよく、ここで詳細な説明は省略する。
【０１６２】
図７に示すように、図７には本願の実施例に係るコンピュータ装置７００を示し、該コンピュータ装置７００はネットワーク装置とユーザー装置を備える通信システムに適用され、コンピュータ装置７００はユーザー装置であってもよく、ネットワーク装置であってもよく、該コンピュータ装置７００は１つ又は複数のプロセッサ、１つ又は複数のメモリ、１つ又は複数の送受信機及び１つ又は複数のプログラムを備え、
前記１つ又は複数のプログラムは前記メモリに記憶され、且つ前記１つ又は複数のプロセッサにより実行されるように設定される。
【０１６３】
一実施例では、コンピュータ装置７００がネットワーク装置である場合、前記プログラムは、第１周波数領域位置においてＳＳＢがあることを示すための指示をユーザー装置に送信するステップを実行するための命令を含む。
【０１６４】
選択肢として、前記ＳＳＢはＲＭＳＩに関連付けられる。
【０１６５】
選択肢として、第１周波数領域位置においてＳＳＢがあることを示すための指示をユーザー装置に送信する態様では、前記プログラムは具体的に、
前記第１周波数領域位置を示すための第１メッセージを前記ユーザー装置に送信するステップと、
前記第１周波数領域位置において前記ＳＳＢがあることを示すための第２メッセージを前記ユーザー装置に送信するステップと、を実行するための命令を含む。
【０１６６】
選択肢として、前記ネットワーク装置はＰＢＣＨにおける第１情報フィールドによって前記第１メッセージをベアリングし、前記第１情報フィールドはＳＳＢの周波数領域位置を示すための情報フィールドを再利用し、又は、前記第１情報フィールドはＲＭＳＩのＣＯＲＥＳＥＴ情報フィールドを再利用する。
【０１６７】
選択肢として、前記ネットワーク装置はＰＢＣＨのＰＲＢ  ｇｒｉｄ  ｏｆｆｓｅｔ情報フィールドのリザーブ値によって前記第２メッセージをベアリングする。
【０１６８】
一実施例では、コンピュータ装置７００がユーザー装置である場合、前記プログラムは、
ネットワーク装置からの、第１周波数領域位置においてＳＳＢがあることを示すための指示を受信するステップと、
前記指示に基づいてＳＳＢを検出するステップと、を実行するための命令を含む。
【０１６９】
選択肢として、前記ＳＳＢはＲＭＳＩに関連付けられる。
【０１７０】
選択肢として、ネットワーク装置からの、第１周波数領域位置においてＳＳＢがあることを示すための指示を受信する態様では、前記プログラムは具体的に、
前記ユーザー装置からの、前記第１周波数領域位置を示すための第１メッセージを受信するステップと、
前記ユーザー装置からの、前記第１周波数領域位置において前記ＳＳＢがあることを示すための第２メッセージを受信するステップと、を実行するための命令を含む。
【０１７１】
選択肢として、前記ネットワーク装置はＰＢＣＨにおける第１情報フィールドによって前記第１メッセージをベアリングし、前記第１情報フィールドはＳＳＢの周波数領域位置を示すための情報フィールドを再利用し、又は、前記第１情報フィールドはＲＭＳＩのＣＯＲＥＳＥＴ情報フィールドを再利用する。
【０１７２】
選択肢として、前記ネットワーク装置はＰＢＣＨのＰＲＢ  ｇｒｉｄ  ｏｆｆｓｅｔ情報フィールドのリザーブ値によって前記第２メッセージをベアリングする。
【０１７３】
なお、本実施例に記載の内容の具体的な実現方式については、上記図５に記載の方法を参照してもよく、ここで詳細な説明は省略する。
【０１７４】
図８に示すように、図８には本願の実施例に係るコンピュータ装置８００を示し、該コンピュータ装置８００はユーザー装置とネットワーク装置を備える通信システムに適用され、コンピュータ装置８００はユーザー装置であってもよく、ネットワーク装置であってもよく、ユーザー装置８００は処理ユニット８０１、通信ユニット８０２及び記憶ユニット８０３を備える。
【０１７５】
一実施例では、コンピュータ装置８００がネットワーク装置である場合、処理ユニット８０１は、第１周波数領域範囲内にＳＳＢがないことを示すための指示を通信ユニット８０２によってユーザー装置に送信することに用いられる。
【０１７６】
選択肢として、前記ＳＳＢはＲＭＳＩに関連付けられる。
【０１７７】
選択肢として、第１周波数領域範囲内にＳＳＢがないことを示すための指示を通信ユニット８０２によってユーザー装置に送信する態様では、処理ユニット８０１は具体的に、
前記第１周波数領域範囲を示すための第１メッセージを通信ユニット８０２によって前記ユーザー装置に送信することと、
前記第１周波数領域範囲内に前記ＳＳＢがないことを示すための第２メッセージを通信ユニット８０２によって前記ユーザー装置に送信することと、に用いられる。
【０１７８】
選択肢として、前記ネットワーク装置はＰＢＣＨにおける第１情報フィールドによって前記第１メッセージをベアリングし、前記第１情報フィールドはＳＳＢの周波数領域位置を示すための情報フィールドを再利用し、又は、前記第１情報フィールドはＲＭＳＩのＣＯＲＥＳＥＴ情報フィールドを再利用する。
【０１７９】
選択肢として、前記ネットワーク装置はＰＢＣＨのＰＲＢ  ｇｒｉｄ  ｏｆｆｓｅｔ情報フィールドのリザーブ値によって前記第２メッセージをベアリングする。
【０１８０】
選択肢として、前記第１メッセージの指示方式は、
１）前記第１メッセージが第１情報と第２情報を含み、前記第１情報は前記第１周波数領域範囲の開始点を示すことに用いられ、前記第２情報は前記第１周波数領域範囲の終止点を示すことに用いられ、前記第１情報の長さが前記第２情報の長さと同じであり、又は前記第１情報の長さが前記第２情報の長さと異なること、
２）前記第１メッセージは前記第１周波数領域範囲の開始点を示すことに用いられること、
３）前記第１メッセージは前記第１周波数領域範囲の終止点を示すことに用いられること、のうちの１つを含む。
【０１８１】
選択肢として、前記第１メッセージに使用される指示方式は予め定義されたものであり、又は、前記第１メッセージに使用される指示方式は前記ネットワーク装置がＰＢＣＨのＰＲＢ  ｇｒｉｄ  ｏｆｆｓｅｔ情報フィールドのリザーブ値で示すものである。
【０１８２】
選択肢として、前記第１情報が前記第１周波数領域範囲の開始点を示す指示ステップサイズ及び／又は前記第２情報が前記第１周波数領域範囲の終止点を示す指示ステップサイズは予め定義されたものであり、又は前記ネットワーク装置がＰＢＣＨのＰＲＢ  ｇｒｉｄ  ｏｆｆｓｅｔ情報フィールドのリザーブ値で示すものである。
【０１８３】
選択肢として、第１周波数領域範囲内にＳＳＢがないことを示すための指示を通信ユニット８０２によってユーザー装置に送信する態様では、処理ユニット８０１は具体的に、前記第１周波数領域範囲内に前記ＳＳＢがないことを示すための第３メッセージを通信ユニット８０２によって前記ユーザー装置に送信することに用いられる。
【０１８４】
選択肢として、前記ネットワーク装置はＰＢＣＨにおける第２情報フィールドによって前記第３メッセージをベアリングし、前記第２情報フィールドはＳＳＢの周波数領域位置を示すための情報フィールドを再利用し、又は、前記第２情報フィールドはＲＭＳＩのＣＯＲＥＳＥＴ情報フィールドを再利用する。
【０１８５】
選択肢として、前記第３メッセージは複数の第１ビットを含み、各第１ビットは１つの第２周波数領域範囲に対応し、前記複数の第１ビットに対応する複数の第２周波数領域範囲はＰＢＣＨで示すことができる周波数バンドを構成し、第１ビットｘの値が第１設定値に等しい場合、前記第１ビットｘに対応する第２周波数領域範囲は前記第１周波数領域範囲であり、前記第１ビットｘは前記複数のビットのうちの１つである。
【０１８６】
選択肢として、前記複数の第２周波数領域範囲に比例関係があり、前記比例関係は予め定義されたものである。
【０１８７】
選択肢として、前記第３メッセージは複数の第２ビットを含み、各第２ビットは１つの第３周波数領域範囲に対応し、前記複数の第２ビットに対応する複数の第３周波数領域範囲は第４周波数領域範囲を構成し、ＰＢＣＨで示すことができる周波数バンドは前記第４周波数領域範囲を含み、第２ビットｙの値が第２設定値に等しい場合、前記第２ビットｙに対応する第３周波数領域範囲は前記第１周波数領域範囲であり、前記第２ビットｙは前記複数のビットのうちの１つである。
【０１８８】
選択肢として、前記複数の第３周波数領域範囲の周波数領域幅は同じであり、又は前記複数の第３周波数領域範囲の周波数領域幅は部分的に異なり、又は、前記複数の第３周波数領域範囲の周波数領域幅は互いに異なる。
【０１８９】
選択肢として、前記複数の第３周波数領域範囲の周波数領域幅が同じである場合、前記第３周波数領域範囲の周波数領域幅は予め定義されたものであり、又は、前記第３周波数領域範囲の周波数領域幅は前記ネットワーク装置がＰＢＣＨのＰＲＢ  ｇｒｉｄ  ｏｆｆｓｅｔ情報フィールドのリザーブ値で示すものである。
【０１９０】
選択肢として、前記第４周波数領域範囲とＰＢＣＨに含まれるＳＳＢとの位置関係は予め定義されたものであり、又は、前記第４周波数領域範囲とＰＢＣＨに含まれるＳＳＢとの位置関係は前記ネットワーク装置がＰＢＣＨのＰＲＢ  ｇｒｉｄ  ｏｆｆｓｅｔ情報フィールドのリザーブ値で示すものである。
【０１９１】
選択肢として、前記第４周波数領域範囲とＰＢＣＨに含まれるＳＳＢとの位置関係は前記ネットワーク装置がＰＢＣＨのＰＲＢ  ｇｒｉｄ  ｏｆｆｓｅｔ情報フィールドのリザーブ値で示すものであり、
１）前記複数の第３周波数領域範囲の周波数領域幅が同じである場合、前記ネットワーク装置はＰＢＣＨのＰＲＢ  ｇｒｉｄ  ｏｆｆｓｅｔ情報フィールドのリザーブ値で、前記第３周波数領域範囲の周波数領域幅及び前記ＰＢＣＨの位置するＳＳＢの前記第４周波数領域範囲での位置を示すこと、
２）前記複数の第３周波数領域範囲の周波数領域幅が部分的に異なり、又は、前記複数の第３周波数領域範囲の周波数領域幅が互いに異なる場合、前記ネットワーク装置はＰＢＣＨのＰＲＢ  ｇｒｉｄ  ｏｆｆｓｅｔ情報フィールドのリザーブ値で、第３周波数領域範囲ｉの周波数領域幅及び前記ＰＢＣＨの位置するＳＳＢの前記第４周波数領域範囲での位置を示し、前記第３周波数領域範囲ｉがいずれも前記複数の第３周波数領域範囲のうちの１つであること、
３）前記複数の第３周波数領域範囲の周波数領域幅が部分的に異なり、又は、前記複数の第３周波数領域範囲の周波数領域幅が互いに異なる場合、前記ネットワーク装置はＰＢＣＨのＰＲＢ  ｇｒｉｄ  ｏｆｆｓｅｔ情報フィールドのリザーブ値で、前記ＰＢＣＨの位置するＳＳＢの前記第４周波数領域範囲での位置を示すこと、のうちの１つを含む。
【０１９２】
一実施例では、コンピュータ装置８００がユーザー装置である場合、
処理ユニット８０１は、ネットワーク装置からの、第１周波数領域範囲内にＳＳＢがないことを示すための指示を前記通信ユニット８０２によって受信することに用いられ、
処理ユニット８０１は更に、前記指示に基づいてＳＳＢを検出することに用いられる。
【０１９３】
選択肢として、前記ＳＳＢはＲＭＳＩに関連付けられる。
【０１９４】
選択肢として、ネットワーク装置からの、第１周波数領域範囲内にＳＳＢがないことを示すための指示を通信ユニット８０２によって受信する態様では、処理ユニット８０１は具体的に、
前記ネットワーク装置からの、前記第１周波数領域範囲を示すための第１メッセージを通信ユニット８０２によって受信することと、
前記ネットワーク装置からの、前記第１周波数領域範囲内に前記ＳＳＢがないことを示すための第２メッセージを通信ユニット８０２によって受信することと、に用いられる。
【０１９５】
選択肢として、前記ネットワーク装置はＰＢＣＨにおける第１情報フィールドによって前記第１メッセージをベアリングし、前記第１情報フィールドはＳＳＢの周波数領域位置を示すための情報フィールドを再利用し、又は、前記第１情報フィールドはＲＭＳＩのＣＯＲＥＳＥＴ情報フィールドを再利用する。
【０１９６】
選択肢として、前記ネットワーク装置はＰＢＣＨのＰＲＢ  ｇｒｉｄ  ｏｆｆｓｅｔ情報フィールドのリザーブ値によって前記第２メッセージをベアリングする。
【０１９７】
選択肢として、前記第１メッセージの指示方式は、
１）前記第１メッセージが第１情報と第２情報を含み、前記第１情報は前記第１周波数領域範囲の開始点を示すことに用いられ、前記第２情報は前記第１周波数領域範囲の終止点を示すことに用いられ、前記第１情報の長さが前記第２情報の長さと同じであり、又は前記第１情報の長さが前記第２情報の長さと異なること、
２）前記第１メッセージは前記第１周波数領域範囲の開始点を示すことに用いられること、
３）前記第１メッセージは前記第１周波数領域範囲の終止点を示すことに用いられること、のうちの１つを含む。
【０１９８】
選択肢として、前記第１メッセージに使用される指示方式は予め定義されたものであり、又は、前記第１メッセージに使用される指示方式は前記ネットワーク装置がＰＢＣＨのＰＲＢ  ｇｒｉｄ  ｏｆｆｓｅｔ情報フィールドのリザーブ値で示すものである。
【０１９９】
選択肢として、前記第１情報が前記第１周波数領域範囲の開始点を示す指示ステップサイズ及び／又は前記第２情報が前記第１周波数領域範囲の終止点を示す指示ステップサイズは予め定義されたものであり、又は前記ネットワーク装置がＰＢＣＨのＰＲＢ  ｇｒｉｄ  ｏｆｆｓｅｔ情報フィールドのリザーブ値で示すものである。
【０２００】
選択肢として、ネットワーク装置からの、第１周波数領域範囲内にＳＳＢがないことを示すための指示を通信ユニット８０２によって受信する態様では、処理ユニット８０１は具体的に、前記ネットワーク装置からの、前記第１周波数領域範囲内に前記ＳＳＢがないことを示すための第３メッセージを通信ユニット８０２によって受信することに用いられる。
【０２０１】
選択肢として、前記ネットワーク装置はＰＢＣＨにおける第２情報フィールドによって前記第３メッセージをベアリングし、前記第２情報フィールドはＳＳＢの周波数領域位置を示すための情報フィールドを再利用し、又は、前記第２情報フィールドはＲＭＳＩのＣＯＲＥＳＥＴ情報フィールドを再利用する。
【０２０２】
選択肢として、前記第３メッセージは複数の第１ビットを含み、各第１ビットは１つの第２周波数領域範囲に対応し、前記複数の第１ビットに対応する複数の第２周波数領域範囲はＰＢＣＨで示すことができる周波数バンドを構成し、第１ビットｘの値が第１設定値に等しい場合、前記第１ビットｘに対応する第２周波数領域範囲は前記第１周波数領域範囲であり、前記第１ビットｘは前記複数のビットのうちの１つである。
【０２０３】
選択肢として、前記複数の第２周波数領域範囲に比例関係があり、前記比例関係は予め定義されたものである。
【０２０４】
選択肢として、前記第３メッセージは複数の第２ビットを含み、各第２ビットは１つの第３周波数領域範囲に対応し、前記複数の第２ビットに対応する複数の第３周波数領域範囲は第４周波数領域範囲を構成し、ＰＢＣＨで示すことができる周波数バンドは前記第４周波数領域範囲を含み、第２ビットｙの値が第２設定値に等しい場合、前記第２ビットｙに対応する第３周波数領域範囲は前記第１周波数領域範囲であり、前記第２ビットｙは前記複数のビットのうちの１つである。
【０２０５】
選択肢として、前記複数の第３周波数領域範囲の周波数領域幅は同じであり、又は前記複数の第３周波数領域範囲の周波数領域幅は部分的に異なり、又は、前記複数の第３周波数領域範囲の周波数領域幅は互いに異なる。
【０２０６】
選択肢として、前記複数の第３周波数領域範囲の周波数領域幅が同じである場合、前記第３周波数領域範囲の周波数領域幅は予め定義されたものであり、又は、前記第３周波数領域範囲の周波数領域幅は前記ネットワーク装置がＰＢＣＨのＰＲＢ  ｇｒｉｄ  ｏｆｆｓｅｔ情報フィールドのリザーブ値で示すものである。
【０２０７】
選択肢として、前記第４周波数領域範囲とＰＢＣＨに含まれるＳＳＢとの位置関係は予め定義されたものであり、又は、前記第４周波数領域範囲とＰＢＣＨに含まれるＳＳＢとの位置関係は前記ネットワーク装置がＰＢＣＨのＰＲＢ  ｇｒｉｄ  ｏｆｆｓｅｔ情報フィールドのリザーブ値で示すものである。
【０２０８】
選択肢として、前記第４周波数領域範囲とＰＢＣＨに含まれるＳＳＢとの位置関係は前記ネットワーク装置がＰＢＣＨのＰＲＢ  ｇｒｉｄ  ｏｆｆｓｅｔ情報フィールドのリザーブ値で示すものであり、
１）前記複数の第３周波数領域範囲の周波数領域幅が同じである場合、前記ネットワーク装置はＰＢＣＨのＰＲＢ  ｇｒｉｄ  ｏｆｆｓｅｔ情報フィールドのリザーブ値で、前記第３周波数領域範囲の周波数領域幅及び前記ＰＢＣＨの位置するＳＳＢの前記第４周波数領域範囲での位置を示すこと、
２）前記複数の第３周波数領域範囲の周波数領域幅が部分的に異なり、又は、前記複数の第３周波数領域範囲の周波数領域幅が互いに異なる場合、前記ネットワーク装置はＰＢＣＨのＰＲＢ  ｇｒｉｄ  ｏｆｆｓｅｔ情報フィールドのリザーブ値で、第３周波数領域範囲ｉの周波数領域幅及び前記ＰＢＣＨの位置するＳＳＢの前記第４周波数領域範囲での位置を示し、前記第３周波数領域範囲ｉがいずれも前記複数の第３周波数領域範囲のうちの１つであること、
３）前記複数の第３周波数領域範囲の周波数領域幅が部分的に異なり、又は、前記複数の第３周波数領域範囲の周波数領域幅が互いに異なる場合、前記ネットワーク装置はＰＢＣＨのＰＲＢ  ｇｒｉｄ  ｏｆｆｓｅｔ情報フィールドのリザーブ値で、前記ＰＢＣＨの位置するＳＳＢの前記第４周波数領域範囲での位置を示すこと、のうちの１つを含む。
【０２０９】
処理ユニット８０１はプロセッサ又はコントローラであってもよい（例えば、中央処理装置（ＣＰＵ、Ｃｅｎｔｒａｌ  Ｐｒｏｃｅｓｓｉｎｇ  Ｕｎｉｔ）、汎用プロセッサ、デジタルシグナルプロセッサ（ＤＳＰ、Ｄｉｇｉｔａｌ  Ｓｉｇｎａｌ  Ｐｒｏｃｅｓｓｏｒ）、特定用途向け集積回路（ＡＳＩＣ、Ａｐｐｌｉｃａｔｉｏｎ−Ｓｐｅｃｉｆｉｃ  Ｉｎｔｅｇｒａｔｅｄ  Ｃｉｒｃｕｉｔ）、フィールドプログラマブルゲートアレイ（ＦＰＧＡ、Ｆｉｅｌｄ  Ｐｒｏｇｒａｍｍａｂｌｅ  Ｇａｔｅ  Ａｒｒａｙ）又は他のプログラマブルロジックデバイス、トランジスタロジックデバイス、ハードウェア部材又はそれらの任意の組み合わせであってもよい。それは本願に開示される内容を参照して説明される様々な例示的な論理ブロック、モジュール及び回路を実現又は実行することができる。前記プロセッサは更に計算機能を実現する組み合わせ、例えば１つ又は複数のマイクロプロセッサの組み合わせ、ＤＳＰ及びマイクロプロセッサの組み合わせ等であってもよい）。通信ユニット８０２は送受信機、送受信回路、無線周波数チップ、通信インターフェース等であってもよく、記憶ユニット８０３はメモリであってもよい。
【０２１０】
処理ユニット８０１がプロセッサ、通信ユニット８０２が通信インターフェース、記憶ユニット８０３がメモリである場合、本願の実施例に関わるコンピュータ装置は図６に示されるコンピュータ装置であってもよい。
【０２１１】
図９に示すように、図９には本願の実施例に係るコンピュータ装置９００を示し、該コンピュータ装置９００はユーザー装置とネットワーク装置を備える通信システムに適用され、コンピュータ装置９００はユーザー装置であってもよく、ネットワーク装置であってもよく、ユーザー装置９００は処理ユニット９０１、通信ユニット９０２及び記憶ユニット９０３を備える。
【０２１２】
一実施例では、コンピュータ装置９００がネットワーク装置である場合、処理ユニット９０１は、第１周波数領域位置においてＳＳＢがあることを示すための指示を前記通信ユニットによってユーザー装置に送信することに用いられる。
【０２１３】
選択肢として、前記ＳＳＢはＲＭＳＩに関連付けられる。
【０２１４】
選択肢として、第１周波数領域位置においてＳＳＢがあることを示すための指示を通信ユニット９０２によってユーザー装置に送信する態様では、処理ユニット９０１は具体的に、
前記第１周波数領域位置を示すための第１メッセージを通信ユニット９０２によって前記ユーザー装置に送信することと、
前記第１周波数領域位置において前記ＳＳＢがあることを示すための第２メッセージを通信ユニット９０２によって前記ユーザー装置に送信することと、に用いられる。
【０２１５】
選択肢として、前記ネットワーク装置はＰＢＣＨにおける第１情報フィールドによって前記第１メッセージをベアリングし、前記第１情報フィールドはＳＳＢの周波数領域位置を示すための情報フィールドを再利用し、又は、前記第１情報フィールドはＲＭＳＩのＣＯＲＥＳＥＴ情報フィールドを再利用する。
【０２１６】
選択肢として、前記ネットワーク装置はＰＢＣＨのＰＲＢ  ｇｒｉｄ  ｏｆｆｓｅｔ情報フィールドのリザーブ値によって前記第２メッセージをベアリングする。
【０２１７】
一実施例では、コンピュータ装置９００がユーザー装置である場合、
処理ユニット９０１は、ネットワーク装置からの、第１周波数領域位置においてＳＳＢがあることを示すための指示を前記通信ユニット９０２によって受信することに用いられ、
処理ユニット９０１は更に、前記指示に基づいてＳＳＢを検出することに用いられる。
【０２１８】
選択肢として、前記ＳＳＢはＲＭＳＩに関連付けられる。
【０２１９】
選択肢として、ネットワーク装置からの、第１周波数領域位置においてＳＳＢがあることを示すための指示を通信ユニット９０２によって受信する態様では、処理ユニット９０１は具体的に、
前記ユーザー装置からの、前記第１周波数領域位置を示すための第１メッセージを通信ユニット９０２によって受信することと、
前記ユーザー装置からの、前記第１周波数領域位置において前記ＳＳＢがあることを示すための第２メッセージを通信ユニット９０２によって受信することに用いられる。
【０２２０】
選択肢として、前記ネットワーク装置はＰＢＣＨにおける第１情報フィールドによって前記第１メッセージをベアリングし、前記第１情報フィールドはＳＳＢの周波数領域位置を示すための情報フィールドを再利用し、又は、前記第１情報フィールドはＲＭＳＩのＣＯＲＥＳＥＴ情報フィールドを再利用する。
【０２２１】
選択肢として、前記ネットワーク装置はＰＢＣＨのＰＲＢ  ｇｒｉｄ  ｏｆｆｓｅｔ情報フィールドのリザーブ値によって前記第２メッセージをベアリングする。
【０２２２】
処理ユニット９０１はプロセッサ又はコントローラであってもよい（例えば、中央処理装置（ＣＰＵ、Ｃｅｎｔｒａｌ  Ｐｒｏｃｅｓｓｉｎｇ  Ｕｎｉｔ）、汎用プロセッサ、デジタルシグナルプロセッサ（ＤＳＰ、Ｄｉｇｉｔａｌ  Ｓｉｇｎａｌ  Ｐｒｏｃｅｓｓｏｒ）、特定用途向け集積回路（ＡＳＩＣ、Ａｐｐｌｉｃａｔｉｏｎ−Ｓｐｅｃｉｆｉｃ  Ｉｎｔｅｇｒａｔｅｄ  Ｃｉｒｃｕｉｔ）、フィールドプログラマブルゲートアレイ（ＦＰＧＡ、Ｆｉｅｌｄ  Ｐｒｏｇｒａｍｍａｂｌｅ  Ｇａｔｅ  Ａｒｒａｙ）又は他のプログラマブルロジックデバイス、トランジスタロジックデバイス、ハードウェア部材又はそれらの任意の組み合わせであってもよい。それは本願に開示される内容を参照して説明される様々な例示的な論理ブロック、モジュール及び回路を実現又は実行することができる。前記プロセッサは更に計算機能を実現する組み合わせ、例えば１つ又は複数のマイクロプロセッサの組み合わせ、ＤＳＰ及びマイクロプロセッサの組み合わせ等であってもよい）。通信ユニット９０２は送受信機、送受信回路、無線周波数チップ、通信インターフェース等であってもよく、記憶ユニット８０３はメモリであってもよい。
【０２２３】
処理ユニット９０１がプロセッサ、通信ユニット９０２が通信インターフェース、記憶ユニット９０３がメモリである場合、本願の実施例に関わるコンピュータ装置は図７に示されるコンピュータ装置であってもよい。
【０２２４】
本願の実施例は更にコンピュータ可読記憶媒体を提供し、前記コンピュータ可読記憶媒体に電子データ交換のためのコンピュータプログラムが記憶され、前記コンピュータプログラムによってコンピュータが上記方法実施例におけるユーザー装置又はネットワーク装置に説明される一部又は全部のステップを実行する。
【０２２５】
本願の実施例は更にコンピュータプログラム製品を提供し、前記コンピュータプログラム製品はコンピュータプログラムが記憶される非一時的コンピュータ可読記憶媒体を含み、前記コンピュータプログラムを操作することにより、コンピュータが上記方法におけるユーザー装置又はネットワーク装置に説明される一部又は全部のステップを実行する。該コンピュータプログラム製品は１つのソフトウェアインストールパッケージであってもよい。
【０２２６】
本願の実施例に説明される方法又はアルゴリズムのステップはハードウェアの方式で実現されてもよく、プロセッサがソフトウェア命令を実行することで実現されてもよい。ソフトウェア命令は対応するソフトウェアモジュールで構成されてもよく、ソフトウェアモジュールはランダムアクセスメモリ（ＲＡＭ、Ｒａｎｄｏｍ  Ａｃｃｅｓｓ  Ｍｅｍｏｒｙ）、フラッシュメモリ、読み出し専用メモリ（ＲＯＭ、Ｒｅａｄ  Ｏｎｌｙ  Ｍｅｍｏｒｙ）、消去可能プログラム可能読み出し専用メモリ（ＥＰＲＯＭ、Ｅｒａｓａｂｌｅ  Ｐｒｏｇｒａｍｍａｂｌｅ  ＲＯＭ）、電気的消去可能プログラム可能読み出し専用メモリ（ＥＥＰＲＯＭ、Ｅｌｅｃｔｒｉｃａｌｌｙ  ＥＰＲＯＭ）、レジスタ、ハードディスク、ポータブルハードディスク、読み出し専用光ディスク（ＣＤ−ＲＯＭ）又は本分野でよく知られているいかなる他の形式の記憶媒体に記憶されてもよい。例示的な記憶媒体がプロセッサに結合されることにより、プロセッサは該記憶媒体から情報を読み取って、該記憶媒体に情報を書き込むことができる。当然ながら、記憶媒体は更にプロセッサの構成部分であってもよい。プロセッサ及び記憶媒体はＡＳＩＣに位置してもよい。また、該ＡＳＩＣはアクセスネットワーク装置、目標ネットワーク装置又はコアネットワーク装置に位置してもよい。当然ながら、プロセッサ及び記憶媒体は個別コンポーネントとしてアクセスネットワーク装置、目標ネットワーク装置又はコアネットワーク装置に位置してもよい。
【０２２７】
当業者であれば意識できるように、上記１つ又は複数の例では、本願の実施例に説明される機能はソフトウェア、ハードウェア、ファームウェア又はそれらの任意の組み合わせで全体的又は部分的に実現されてもよい。ソフトウェアで実現されるとき、コンピュータプログラム製品の形式で全体的又は部分的に実現されてもよい。前記コンピュータプログラム製品は１つ又は複数のコンピュータ命令を含む。コンピュータにおいて前記コンピュータプログラム命令をロードして実行するとき、本願の実施例に記載のプロセス又は機能を全体的又は部分的に発生させる。前記コンピュータは汎用コンピュータ、専用コンピュータ、コンピュータネットワーク又は他のプログラム可能装置であってもよい。前記コンピュータ命令はコンピュータ可読記憶媒体に記憶され、又は一方のコンピュータ可読記憶媒体から他方のコンピュータ可読記憶媒体に伝送されてもよく、例えば、前記コンピュータ命令は一方のウェブサイト、コンピュータ、サーバ又はデータセンターから有線（例えば、同軸ケーブル、光ファイバー、デジタル加入者回線（ＤＳＬ、Ｄｉｇｉｔａｌ  Ｓｕｂｓｃｒｉｂｅｒ  Ｌｉｎｅ））又は無線（例えば、赤外線、無線、マイクロ波等）方式で他方のウェブサイト、コンピュータ、サーバ又はデータセンターに伝送されてもよい。前記コンピュータ可読記憶媒体はコンピュータにアクセスできるいかなる利用可能媒体又は１つ又は複数の利用可能媒体からなるサーバ、データセンター等のデータ記憶装置であってもよい。前記利用可能媒体は磁気媒体（例えば、フロッピーディスク、ハードディスク、磁気テープ）、光媒体（例えば、デジタルビデオディスク（ＤＶＤ、Ｄｉｇｉｔａｌ  Ｖｉｄｅｏ  Ｄｉｓｃ））又は半導体媒体（例えば、ソリッドステートディスク（ＳＳＤ、Ｓｏｌｉｄ  Ｓｔａｔｅ  Ｄｉｓｋ））等であってもよい。
【０２２８】
以上に説明される具体的な実施形態は本願の実施例の目的、技術案及び有益な効果を更に詳しく説明したが、理解されるように、以上の説明は本願の実施例の具体的な実施形態に過ぎず、本願の実施例の保護範囲を制限するためのものではなく、本願の実施例の技術案に基づいて行ったいかなる修正、等価置換、改良等は、いずれも本願の実施例の保護範囲内に含まれるべきである。
【図１Ａ】
2021513804.tif 000009
【図１Ｂ】
2021513804.tif 000010
【図２】
2021513804.tif 000011
【図３】
2021513804.tif 000012
【図４Ａ】
2021513804.tif 000013
【図４Ｂ】
2021513804.tif 000014
【図４Ｃ】
2021513804.tif 000015
【図４Ｄ】
2021513804.tif 000016
【図４Ｅ】
2021513804.tif 000017
【図５】
2021513804.tif 000018
【図６】
2021513804.tif 000019
【図７】
2021513804.tif 000020
【図８】
2021513804.tif 000021
【図９】
2021513804.tif 000022
【手続補正書】
【提出日】令和2年8月13日(2020.8.13)
【手続補正１】
【補正対象書類名】明細書
【補正対象項目名】０００５
【補正方法】変更
【補正の内容】
【０００５】
第１態様では、本願の実施例は指示方法を提供し、該指示方法は、
ネットワーク装置が第１周波数領域範囲内に同期信号ブロックＳＳＢがないことを示すための指示をユーザー装置に送信することを含む。
【手続補正２】
【補正対象書類名】明細書
【補正対象項目名】００２０
【補正方法】変更
【補正の内容】
【００２０】
第１６態様では、本願の実施例はコンピュータ可読記憶媒体を提供し、該コンピュータ可読記憶媒体に電子データ交換のためのコンピュータプログラムが記憶され、前記コンピュータプログラムによってコンピュータが第４態様に記載の方法に説明される一部又は全部のステップを実行する。
【手続補正３】
【補正対象書類名】明細書
【補正対象項目名】００３３
【補正方法】変更
【補正の内容】
【００３３】
ユーザー装置１０２は無線通信システム１００全体に分布されてもよく、固定であってもよく、可動であってもよい。本願のいくつかの実施例では、ユーザー装置１０２はモバイルデバイス、移動局（ｍｏｂｉｌｅ  ｓｔａｔｉｏｎ）、モバイルユニット（ｍｏｂｉｌｅ  ｕｎｉｔ）、Ｍ２Ｍ端末、無線ユニット、リモートユニット、ユーザーエージェント、モバイルクライアント等であってもよい。
【手続補正４】
【補正対象書類名】明細書
【補正対象項目名】００３４
【補正方法】変更
【補正の内容】
【００３４】
具体的に、ネットワーク装置１０１はネットワーク装置コントローラ（図示せず）の制御下で、無線インターフェース１０３を介してユーザー装置１０２と通信することに用いられてもよい。いくつかの実施例では、前記ネットワーク装置コントローラはコアネットワークの一部であってもよく、ネットワーク装置１０１に統合されてもよい。ネットワーク装置１０１とネットワーク装置１０１はバックホール（ｂａｃｋｈａｕｌ）インターフェース１０４（例えば、Ｘ２インターフェース）を介して直接又は間接的に通信してもよい。
【手続補正５】
【補正対象書類名】明細書
【補正対象項目名】００３９
【補正方法】変更
【補正の内容】
【００３９】
図２に示すように、図２には本願のいくつかの実施例に係るユーザー装置２００を示す。図２に示すように、ユーザー装置２００は１つ又は複数のユーザー装置プロセッサ２０１、メモリ２０２、通信インターフェース２０３、受信機２０５、送信機２０６、結合器２０７、アンテナ２０８、ユーザーインターフェース２０９及び入力出力モジュール（オーディオ入力出力モジュール２１０、キー入力モジュール２１１及びディスプレイ２１２等を含む）を備えてもよい。これらの部材はバス２０４又は他の方式で接続されてもよく、図２はバスによる接続を例とする。
【手続補正６】
【補正対象書類名】明細書
【補正対象項目名】００４１
【補正方法】変更
【補正の内容】
【００４１】
送信機２０６はユーザー装置プロセッサ２０１の出力した信号に対して送信処理、例えば信号変調を行うことに用いられてもよい。受信機２０５はアンテナ２０８の受信した移動通信信号に対して受信処理、例えば信号復調を行うことに用いられてもよい。本願のいくつかの実施例では、送信機２０６と受信機２０５は１つの無線モデムと見なされてもよい。ユーザー装置２００において、送信機２０６及び受信機２０５の数はいずれも１つ又は複数であってもよい。アンテナ２０８は伝送線路における電磁エネルギーを自由空間における電磁波に変換し、又は自由空間における電磁波を伝送線路における電磁エネルギーに変換することに用いられてもよい。結合器２０７はアンテナ２０８の受信した移動通信信号を複数分岐して、複数の受信機２０５に割り当てることに用いられる。
【手続補正７】
【補正対象書類名】明細書
【補正対象項目名】００４６
【補正方法】変更
【補正の内容】
【００４６】
本願のいくつかの実施例では、ユーザー装置プロセッサ２０１はコンピュータ可読命令を読み取って実行することに用いられてもよい。具体的に、ユーザー装置プロセッサ２０１はメモリ２０２に記憶されるプログラム、例えば本願の１つ又は複数の実施例に係る同期信号ブロック検出方法のユーザー装置２００側での実現プログラムを呼び出して、該プログラムに含まれる命令を実行することに用いられてもよい。
【手続補正８】
【補正対象書類名】明細書
【補正対象項目名】００５１
【補正方法】変更
【補正の内容】
【００５１】
メモリ３０２はネットワーク装置プロセッサ３０１に結合され、様々なソフトウェアプログラム及び／又は複数組の命令を記憶することに用いられる。具体的に、メモリ３０２は高速ランダムアクセスメモリを含んでもよく、且つ更に不揮発性メモリ、例えば１つ又は複数の磁気ディスク記憶装置、フラッシュメモリデバイス又は他の不揮発性固体メモリデバイスを含んでもよい。メモリ３０２はオペレーティングシステム（以下、システムと略称される）、例えばｕＣＯＳ、ＶｘＷｏｒｋｓ、ＲＴＬｉｎｕｘ等の組み込みオペレーティングシステムを記憶することができる。メモリ３０２は更にネットワーク通信プログラムを記憶することができ、該ネットワーク通信プログラムは１つ又は複数の付加装置、１つ又は複数の端末装置、１つ又は複数のネットワーク装置と通信することに用いられてもよい。
【手続補正９】
【補正対象書類名】明細書
【補正対象項目名】００５９
【補正方法】変更
【補正の内容】
【００５９】
ＲＭＳＩは物理ダウンリンク共有チャネル（ＰＤＳＣＨ、Ｐｈｙｓｉｃａｌ  Ｄｏｗｎｌｉｎｋ  Ｓｈａｒｅｄ  Ｃｈａｎｎｅｌ）にベアリングされており、ＰＤＳＣＨのダウンリンク制御情報（ＤＣＩ、Ｄｏｗｎｌｉｎｋ  Ｃｏｎｔｒｏｌ  Ｉｎｆｏｒｍａｔｉｏｎ）は物理ダウンリンク制御チャネル（ＰＤＣＣＨ、Ｐｈｙｓｉｃａｌ  Ｄｏｗｎｌｉｎｋ  Ｃｏｎｔｒｏｌ  ＣＨａｎｎｅｌ）にベアリングされており、ＰＤＣＣＨの位置する時間周波数リソース位置をＰＢＣＨで示し、ＰＢＣＨは更にその位置するＳＳＢがＲＭＳＩに関連付けられるかどうかを示す。従って、ＲＭＳＩに関連付けられるＳＳＢによってＲＭＳＩを取得することができる。
【手続補正１０】
【補正対象書類名】明細書
【補正対象項目名】０１７４
【補正方法】変更
【補正の内容】
【０１７４】
図８に示すように、図８には本願の実施例に係るコンピュータ装置８００を示し、該コンピュータ装置８００はユーザー装置とネットワーク装置を備える通信システムに適用され、コンピュータ装置８００はユーザー装置であってもよく、ネットワーク装置であってもよく、コンピュータ装置８００は処理ユニット８０１、通信ユニット８０２及び記憶ユニット８０３を備える。
【手続補正１１】
【補正対象書類名】明細書
【補正対象項目名】０２１１
【補正方法】変更
【補正の内容】
【０２１１】
図９に示すように、図９には本願の実施例に係るコンピュータ装置９００を示し、該コンピュータ装置９００はユーザー装置とネットワーク装置を備える通信システムに適用され、コンピュータ装置９００はユーザー装置であってもよく、ネットワーク装置であってもよく、コンピュータ装置９００は処理ユニット９０１、通信ユニット９０２及び記憶ユニット９０３を備える。
【手続補正１２】
【補正対象書類名】明細書
【補正対象項目名】０２２２
【補正方法】変更
【補正の内容】
【０２２２】
処理ユニット９０１はプロセッサ又はコントローラであってもよい（例えば、中央処理装置（ＣＰＵ、Ｃｅｎｔｒａｌ  Ｐｒｏｃｅｓｓｉｎｇ  Ｕｎｉｔ）、汎用プロセッサ、デジタルシグナルプロセッサ（ＤＳＰ、Ｄｉｇｉｔａｌ  Ｓｉｇｎａｌ  Ｐｒｏｃｅｓｓｏｒ）、特定用途向け集積回路（ＡＳＩＣ、Ａｐｐｌｉｃａｔｉｏｎ−Ｓｐｅｃｉｆｉｃ  Ｉｎｔｅｇｒａｔｅｄ  Ｃｉｒｃｕｉｔ）、フィールドプログラマブルゲートアレイ（ＦＰＧＡ、Ｆｉｅｌｄ  Ｐｒｏｇｒａｍｍａｂｌｅ  Ｇａｔｅ  Ａｒｒａｙ）又は他のプログラマブルロジックデバイス、トランジスタロジックデバイス、ハードウェア部材又はそれらの任意の組み合わせであってもよい。それは本願に開示される内容を参照して説明される様々な例示的な論理ブロック、モジュール及び回路を実現又は実行することができる。前記プロセッサは更に計算機能を実現する組み合わせ、例えば１つ又は複数のマイクロプロセッサの組み合わせ、ＤＳＰ及びマイクロプロセッサの組み合わせ等であってもよい）。通信ユニット９０２は送受信機、送受信回路、無線周波数チップ、通信インターフェース等であってもよく、記憶ユニット９０３はメモリであってもよい。
【手続補正１３】
【補正対象書類名】特許請求の範囲
【補正対象項目名】全文
【補正方法】変更
【補正の内容】
【特許請求の範囲】
【請求項１】
指示方法であって、
ネットワーク装置は第１周波数領域範囲内に残りの最小システム情報（ＲＭＳＩ）に関連付けられる同期信号ブロック（ＳＳＢ）がないことを示すための指示をユーザー装置に送信することを含むことを特徴とする指示方法。
【請求項２】
前記ネットワーク装置が、第１周波数領域範囲内にＳＳＢがないことを示すための指示をユーザー装置に送信することは、
前記ネットワーク装置は前記第１周波数領域範囲を示すための第１メッセージを前記ユーザー装置に送信することを含むことを特徴とする請求項１に記載の方法。
【請求項３】
前記ネットワーク装置が、第１周波数領域範囲内にＳＳＢがないことを示すための指示をユーザー装置に送信することは、
前記ネットワーク装置は前記第１周波数領域範囲内に前記ＳＳＢがないことを示すための第２メッセージを前記ユーザー装置に送信することを更に含むことを特徴とする請求項２に記載の方法。
【請求項４】
前記第１メッセージは物理放送チャネル（ＰＢＣＨ）における第１情報フィールドにベアリングされ、前記第１情報フィールドはＲＭＳＩの制御情報リソースセット（ＣＯＲＥＳＥＴ）情報フィールドを再利用することを特徴とする請求項２又は３に記載の方法。
【請求項５】
前記ネットワーク装置はＰＢＣＨの物理リソースブロック（ＰＲＢ）グリッドオフセット（ｇｒｉｄ  ｏｆｆｓｅｔ）情報フィールドのリザーブ値によって前記第２メッセージをベアリングすることを特徴とする請求項３に記載の方法。
【請求項６】
前記第１メッセージは第１情報と第２情報を含み、前記第１情報は前記第１周波数領域範囲の開始点を示すことに用いられ、前記第２情報は前記第１周波数領域範囲の終止点を示すことに用いられ、前記第１情報の長さは前記第２情報の長さと同じであることを特徴とする請求項２〜５のいずれか１項に記載の方法。
【請求項７】
検出方法であって、
ユーザー装置がネットワーク装置からの、第１周波数領域範囲内に残りの最小システム情報（ＲＭＳＩ）に関連付けられる同期信号ブロック（ＳＳＢ）がないことを示すための指示を受信することと、
前記ユーザー装置が前記指示に基づいてＳＳＢを検出することと、を含むことを特徴とする検出方法。
【請求項８】
前記ユーザー装置がネットワーク装置からの、第１周波数領域範囲内にＳＳＢがないことを示すための指示を受信することは、
前記ユーザー装置は前記ネットワーク装置からの、前記第１周波数領域範囲を示すための第１メッセージを受信することを含むことを特徴とする請求項７に記載の方法。
【請求項９】
前記ユーザー装置がネットワーク装置からの、第１周波数領域範囲内にＳＳＢがないことを示すための指示を受信することは、
前記ユーザー装置は前記ネットワーク装置からの、前記第１周波数領域範囲内に前記ＳＳＢがないことを示すための第２メッセージを受信することを更に含むことを特徴とする請求項８に記載の方法。
【請求項１０】
前記第１メッセージは物理放送チャネル（ＰＢＣＨ）における第１情報フィールドにベアリングされ、前記第１情報フィールドはＲＭＳＩの制御情報リソースセット（ＣＯＲＥＳＥＴ）情報フィールドを再利用することを特徴とする請求項８又は９に記載の方法。
【請求項１１】
前記ネットワーク装置はＰＢＣＨの物理リソースブロック（ＰＲＢ）グリッドオフセット（ｇｒｉｄ  ｏｆｆｓｅｔ）情報フィールドのリザーブ値によって前記第２メッセージをベアリングすることを特徴とする請求項９に記載の方法。
【請求項１２】
前記第１メッセージは第１情報と第２情報を含み、前記第１情報は前記第１周波数領域範囲の開始点を示すことに用いられ、前記第２情報は前記第１周波数領域範囲の終止点を示すことに用いられ、前記第１情報の長さは前記第２情報の長さと同じであることを特徴とする請求項８〜１１のいずれか１項に記載の方法。
【請求項１３】
ネットワーク装置であって、処理ユニット及び通信ユニットを備え、
前記処理ユニットは、第１周波数領域範囲内に残りの最小システム情報（ＲＭＳＩ）に関連付けられる同期信号ブロック（ＳＳＢ）がないことを示すための指示を前記通信ユニットによってユーザー装置に送信することに用いられることを特徴とするネットワーク装置。
【請求項１４】
前記処理ユニットは、前記第１周波数領域範囲を示すための第１メッセージを前記ユーザー装置に送信することに用いられることを特徴とする請求項１３に記載のネットワーク装置。
【請求項１５】
前記処理ユニットは更に、前記第１周波数領域範囲内に前記ＳＳＢがないことを示すための第２メッセージを前記ユーザー装置に送信することに用いられることを特徴とする請求項１４に記載のネットワーク装置。
【請求項１６】
前記第１メッセージは物理放送チャネル（ＰＢＣＨ）における第１情報フィールドにベアリングされ、前記第１情報フィールドはＲＭＳＩの制御情報リソースセット（ＣＯＲＥＳＥＴ）情報フィールドを再利用することを特徴とする請求項１４又は１５に記載のネットワーク装置。
【請求項１７】
ＰＢＣＨの物理リソースブロック（ＰＲＢ）グリッドオフセット（ｇｒｉｄ  ｏｆｆｓｅｔ）情報フィールドのリザーブ値によって前記第２メッセージをベアリングすることを特徴とする請求項１５に記載のネットワーク装置。
【請求項１８】
前記第１メッセージは第１情報と第２情報を含み、前記第１情報は前記第１周波数領域範囲の開始点を示すことに用いられ、前記第２情報は前記第１周波数領域範囲の終止点を示すことに用いられ、前記第１情報の長さは前記第２情報の長さと同じであることを特徴とする請求項１４〜１７のいずれか１項に記載のネットワーク装置。
【請求項１９】
ユーザー装置であって、処理ユニット及び通信ユニットを備え、
前記処理ユニットは、ネットワーク装置からの、第１周波数領域範囲内に残りの最小システム情報（ＲＭＳＩ）に関連付けられる同期信号ブロック（ＳＳＢ）がないことを示すための指示を前記通信ユニットによって受信することに用いられ、
前記処理ユニットは更に、前記指示に基づいてＳＳＢを検出することに用いられることを特徴とするユーザー装置。
【請求項２０】
前記処理ユニットは、前記ネットワーク装置からの、前記第１周波数領域範囲を示すための第１メッセージを受信することに用いられることを特徴とする請求項１９に記載のユーザー装置。
【請求項２１】
前記処理ユニットは更に、前記ネットワーク装置からの、前記第１周波数領域範囲内に前記ＳＳＢがないことを示すための第２メッセージを受信することに用いられることを特徴とする請求項２０に記載のユーザー装置。
【請求項２２】
前記第１メッセージは物理放送チャネル（ＰＢＣＨ）における第１情報フィールドにベアリングされ、前記第１情報フィールドはＲＭＳＩの制御情報リソースセット（ＣＯＲＥＳＥＴ）情報フィールドを再利用することを特徴とする請求項２０又は２１に記載のユーザー装置。
【請求項２３】
ＰＢＣＨの物理リソースブロック（ＰＲＢ）グリッドオフセット（ｇｒｉｄ  ｏｆｆｓｅｔ）情報フィールドのリザーブ値によって前記第２メッセージをベアリングすることを特徴とする請求項２１に記載のユーザー装置。
【請求項２４】
前記第１メッセージは第１情報と第２情報を含み、前記第１情報は前記第１周波数領域範囲の開始点を示すことに用いられ、前記第２情報は前記第１周波数領域範囲の終止点を示すことに用いられ、前記第１情報の長さは前記第２情報の長さと同じであることを特徴とする請求項２０〜２３のいずれか１項に記載のユーザー装置。
【国際調査報告】
2021513804.tif 000023
2021513804.tif 000024
2021513804.tif 000025
2021513804.tif 000026